(57)【要約】  本明細書で提示する様々な特徴は、ｅＭＴＣおよびＮＢ−ＩｏＴにおける早期データ送信（ＥＤＴ）を容易にする。いくつかの態様では、ＵＥ（たとえば、ｅＭＴＣおよび／またはＮＢ−ＩｏＴタイプのデバイス）は、基地局からＳＩＢ中で、ＵＥによるＥＤＴを可能にし得る指示を受信し得る。ＵＥは、ＳＩＢに基づいてランダムアクセス要求を送信し得る。ＵＥは、さらに、ＲＡＲ中でＭＣＳインデックスを受信し、ＭＣＳインデックスとＳＩＢ中の指示とに基づいて基地局に接続要求（たとえば、Ｍｓｇ３）を送信し得る。本明細書で説明するいくつかの態様は、改善されたレートマッチング技法に関する。いくつかの態様では、ＵＥは、ＵＥからの他の送信のためのＲＶの数よりもＲＶの増加した数、または２つ以上のサブフレームにわたって実行されるレートマッチング、のうちの少なくとも１つに基づいて基地局に接続要求メッセージを送信するように構成され得る。
2021503829.tif 000002
【特許請求の範囲】
【請求項１】
ユーザ機器（ＵＥ）におけるワイヤレス通信の方法であって、
基地局からシステム情報ブロック（ＳＩＢ）中で少なくとも１つのパラメータの指示を受信することと、
前記基地局にランダムアクセス要求を送信することと、
前記基地局からランダムアクセス応答（ＲＡＲ）中で変調およびコーディング方式（ＭＣＳ）インデックスを受信することと、
前記ＭＣＳインデックスと前記指示とに基づいて前記基地局に接続要求メッセージを送信することと
を備える、方法。
【請求項２】
前記ＳＩＢ中で受信された前記指示に基づいて前記基地局からの前記ＲＡＲを処理すること
をさらに備える、請求項１に記載の方法。
【請求項３】
前記指示が、割り当てられていないＭＣＳインデックスのためのＲＡＲパラメータを備え、前記ＲＡＲ中で受信された前記ＭＣＳインデックスが、前記割り当てられていないＭＣＳインデックスに対応し、前記接続要求メッセージが、前記ＳＩＢ中で受信された前記ＲＡＲパラメータに基づいて送信される、請求項１に記載の方法。
【請求項４】
前記指示が、割り当てられていないＭＣＳインデックスに対応するトランスポートブロックサイズ（ＴＢＳ）値を備え、前記ＲＡＲ中で受信された前記ＭＣＳインデックスが、前記割り当てられていないＭＣＳインデックスを備え、前記接続要求メッセージが、リソースユニットのあらかじめ定義された数と前記ＳＩＢ中で受信された前記ＴＢＳ値とに基づいて送信される、請求項１に記載の方法。
【請求項５】
前記少なくとも１つのパラメータが、異なるサポートされたカバレージレベルに対して異なるパラメータを備える、請求項１に記載の方法。
【請求項６】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、前記方法が、
前記ＵＥにおけるペイロードサイズに基づいてＰＲＡＣＨリソースの前記第１のセットまたはＰＲＡＣＨリソースの前記第２のセットのうちの１つからＰＲＡＣＨリソースを選択することと、ここにおいて、前記ランダムアクセス要求が、前記選択されたＰＲＡＣＨリソースを使用して送信される、
前記ランダムアクセス要求を送信するために使用される前記ＰＲＡＣＨリソースに基づいて前記基地局からの前記ＲＡＲを解釈することと
をさらに備える、請求項１に記載の方法。
【請求項７】
前記指示がスケーリング値を備え、前記接続要求メッセージが、前記ＳＩＢ中で受信された前記スケーリング値によってスケーリングされている前記ＭＣＳインデックスに対応するリソースユニットの数に基づいて送信される、請求項１に記載の方法。
【請求項８】
前記指示がスケーリング値を備え、前記接続要求メッセージが、前記ＳＩＢ中で受信された前記スケーリング値によってスケーリングされている前記ＭＣＳインデックスに対応するトランスポートブロックサイズに基づいて送信される、請求項１に記載の方法。
【請求項９】
ユーザ機器（ＵＥ）であって、
基地局からシステム情報ブロック（ＳＩＢ）中で少なくとも１つのパラメータの指示を受信するための手段と、
前記基地局にランダムアクセス要求を送信するための手段と、
前記基地局からランダムアクセス応答（ＲＡＲ）中で変調およびコーディング方式（ＭＣＳ）インデックスを受信するための手段と、
前記ＭＣＳインデックスと前記指示とに基づいて前記基地局に接続要求メッセージを送信するための手段と
を備える、ＵＥ。
【請求項１０】
前記ＳＩＢ中で受信された前記指示に基づいて前記基地局からの前記ＲＡＲを処理するための手段
をさらに備える、請求項９に記載のＵＥ。
【請求項１１】
前記指示が、割り当てられていないＭＣＳインデックスのためのＲＡＲパラメータを備え、前記ＲＡＲ中で受信された前記ＭＣＳインデックスが、前記割り当てられていないＭＣＳインデックスに対応し、
前記接続要求メッセージを送信するための前記手段が、前記ＳＩＢ中で受信された前記ＲＡＲパラメータに基づいて前記接続要求メッセージを送信するようにさらに構成された、請求項９に記載のＵＥ。
【請求項１２】
前記指示が、割り当てられていないＭＣＳインデックスに対応するトランスポートブロックサイズ（ＴＢＳ）値を備え、前記ＲＡＲ中で受信された前記ＭＣＳインデックスが、前記割り当てられていないＭＣＳインデックスを備え、
前記接続要求メッセージを送信するための前記手段が、リソースユニットのあらかじめ定義された数と前記ＳＩＢ中で受信された前記ＴＢＳ値とに基づいて前記接続要求メッセージを送信するようにさらに構成された、請求項９に記載のＵＥ。
【請求項１３】
前記少なくとも１つのパラメータが、異なるサポートされたカバレージレベルに対して異なるパラメータを備える、請求項９に記載のＵＥ。
【請求項１４】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記ＵＥは、
前記ＵＥにおけるペイロードサイズに基づいてＰＲＡＣＨリソースの前記第１のセットまたはＰＲＡＣＨリソースの前記第２のセットのうちの１つからＰＲＡＣＨリソースを選択するための手段と、ここにおいて、前記ランダムアクセス要求を送信するための前記手段が、前記選択されたＰＲＡＣＨリソースを使用して前記ランダムアクセス要求を送信するようにさらに構成される、
前記ランダムアクセス要求を送信するために使用される前記ＰＲＡＣＨリソースに基づいて前記基地局からの前記ＲＡＲを解釈するための手段と
をさらに備える、請求項９に記載のＵＥ。
【請求項１５】
前記指示がスケーリング値を備え、前記接続要求メッセージを送信するための前記手段が、前記ＳＩＢ中で受信された前記スケーリング値によってスケーリングされている前記ＭＣＳインデックスに対応するリソースユニットの数に基づいて前記接続要求メッセージを送信するようにさらに構成された、請求項９に記載のＵＥ。
【請求項１６】
前記指示がスケーリング値を備え、前記接続要求メッセージを送信するための前記手段が、前記ＳＩＢ中で受信された前記スケーリング値によってスケーリングされている前記ＭＣＳインデックスに対応するトランスポートブロックサイズに基づいて前記接続要求メッセージを送信するようにさらに構成された、請求項９に記載のＵＥ。
【請求項１７】
ユーザ機器（ＵＥ）であって、
メモリと、
前記メモリに結合され、
基地局からシステム情報ブロック（ＳＩＢ）中で少なくとも１つのパラメータの指示を受信することと、
前記基地局にランダムアクセス要求を送信することと、
前記基地局からランダムアクセス応答（ＲＡＲ）中で変調およびコーディング方式（ＭＣＳ）インデックスを受信することと、
前記ＭＣＳインデックスと前記指示とに基づいて前記基地局に接続要求メッセージを送信することと
を行うように構成された少なくとも１つのプロセッサと
を備える、ＵＥ。
【請求項１８】
前記少なくとも１つのプロセッサが、前記ＳＩＢ中で受信された前記指示に基づいて前記基地局からの前記ＲＡＲを処理するようにさらに構成された、請求項１７に記載のＵＥ。
【請求項１９】
前記指示が、割り当てられていないＭＣＳインデックスのためのＲＡＲパラメータを備え、前記ＲＡＲ中で受信された前記ＭＣＳインデックスが、前記割り当てられていないＭＣＳインデックスに対応し、
前記少なくとも１つのプロセッサが、前記ＳＩＢ中で受信された前記ＲＡＲパラメータに基づいて前記接続要求メッセージを送信するようにさらに構成された、請求項１７に記載のＵＥ。
【請求項２０】
前記指示が、割り当てられていないＭＣＳインデックスに対応するトランスポートブロックサイズ（ＴＢＳ）値を備え、前記ＲＡＲ中で受信された前記ＭＣＳインデックスが、前記割り当てられていないＭＣＳインデックスを備え、
前記少なくとも１つのプロセッサが、リソースユニットのあらかじめ定義された数と前記ＳＩＢ中で受信された前記ＴＢＳ値とに基づいて前記接続要求メッセージを送信するようにさらに構成された、請求項１７に記載のＵＥ。
【請求項２１】
前記少なくとも１つのパラメータが、異なるサポートされたカバレージレベルに対して異なるパラメータを備える、請求項１７に記載のＵＥ。
【請求項２２】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記少なくとも１つのプロセッサが、
前記ＵＥにおけるペイロードサイズに基づいてＰＲＡＣＨリソースの前記第１のセットまたはＰＲＡＣＨリソースの前記第２のセットのうちの１つからＰＲＡＣＨリソースを選択することと、前記選択されたＰＲＡＣＨリソースを使用して前記ランダムアクセス要求を送信することと、
前記ランダムアクセス要求を送信するために使用される前記ＰＲＡＣＨリソースに基づいて前記基地局からの前記ＲＡＲを解釈することと
を行うようにさらに構成された、請求項１７に記載のＵＥ。
【請求項２３】
前記指示がスケーリング値を備え、前記少なくとも１つのプロセッサが、前記ＳＩＢ中で受信された前記スケーリング値によってスケーリングされている前記ＭＣＳインデックスに対応するリソースユニットの数に基づいて前記接続要求メッセージを送信するようにさらに構成された、請求項１７に記載のＵＥ。
【請求項２４】
前記指示がスケーリング値を備え、前記少なくとも１つのプロセッサが、前記ＳＩＢ中で受信された前記スケーリング値によってスケーリングされている前記ＭＣＳインデックスに対応するトランスポートブロックサイズに基づいて前記接続要求メッセージを送信するようにさらに構成された、請求項１７に記載のＵＥ。
【請求項２５】
ユーザ機器におけるワイヤレス通信のためのコンピュータ実行可能コードを記憶するコンピュータ可読媒体であって、
基地局からシステム情報ブロック（ＳＩＢ）中で少なくとも１つのパラメータの指示を受信することと、
前記基地局にランダムアクセス要求を送信することと、
前記基地局からランダムアクセス応答中で変調およびコーディング方式（ＭＣＳ）インデックスを受信することと、
前記ＭＣＳインデックスと前記指示とに基づいて前記基地局に接続要求メッセージを送信することと
を行うためのコードを備える、コンピュータ可読媒体。
【請求項２６】
基地局におけるワイヤレス通信の方法であって、
システム情報ブロック（ＳＩＢ）中で、ランダムアクセス応答許可に関連する少なくとも１つのパラメータの指示を送信することと、
ユーザ機器（ＵＥ）からランダムアクセス要求を受信することと、
前記ＵＥにランダムアクセス応答（ＲＡＲ）中で変調およびコーディング方式（ＭＣＳ）インデックスを送信することと、
前記ＵＥから、前記ＭＣＳインデックスと前記指示とに基づいて接続要求メッセージを受信することと
を備える、方法。
【請求項２７】
前記指示が、割り当てられていないＭＣＳインデックスのためのＲＡＲパラメータを備え、前記ＵＥに送信された前記ＭＣＳインデックスが、前記割り当てられていないＭＣＳインデックスに対応し、前記接続要求メッセージが、前記ＳＩＢ中の前記ＲＡＲパラメータに基づいて受信される、請求項２６に記載の方法。
【請求項２８】
前記指示が、割り当てられていないＭＣＳインデックスに対応するトランスポートブロックサイズ（ＴＢＳ）値を備え、前記ＵＥに送信された前記ＭＣＳインデックスが、前記割り当てられていないＭＣＳインデックスを備え、前記接続要求メッセージが、リソースユニットのあらかじめ定義された数と前記ＳＩＢ中の前記ＴＢＳ値とに基づいて受信される、請求項２６に記載の方法。
【請求項２９】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、前記方法が、
前記ランダムアクセス要求が受信されたＰＲＡＣＨリソースに基づいて前記ＵＥからの前記ランダムアクセス要求を解釈すること
をさらに備える、請求項２６に記載の方法。
【請求項３０】
前記指示がスケーリング値を備え、前記接続要求メッセージが、前記ＳＩＢ中で示された前記スケーリング値によってスケーリングされている前記ＭＣＳインデックスに対応するリソースユニットの数に基づいて受信される、請求項２６に記載の方法。
【請求項３１】
前記少なくとも１つのパラメータが、異なるサポートされたカバレージレベルに対して異なるパラメータを備える、請求項２６に記載の方法。
【請求項３２】
基地局であって、
メモリと、
前記メモリに結合され、
システム情報ブロック（ＳＩＢ）中で、ランダムアクセス応答許可に関連する少なくとも１つのパラメータの指示を送信することと、
ユーザ機器（ＵＥ）からランダムアクセス要求を受信することと、
前記ＵＥにランダムアクセス応答（ＲＡＲ）中で変調およびコーディング方式（ＭＣＳ）インデックスを送信することと、
前記ＵＥから、前記ＭＣＳインデックスと前記ＳＩＢ中の前記指示とに基づいて接続要求メッセージを受信することと
を行うように構成された少なくとも１つのプロセッサと
を備える、基地局。
【請求項３３】
前記指示が、割り当てられていないＭＣＳインデックスのためのＲＡＲパラメータを備え、前記ＵＥに送信された前記ＭＣＳインデックスが、前記割り当てられていないＭＣＳインデックスに対応し、
前記少なくとも１つのプロセッサが、前記ＳＩＢ中の前記ＲＡＲパラメータに基づいて前記接続要求メッセージを受信するようにさらに構成された、請求項３２に記載の基地局。
【請求項３４】
前記指示が、割り当てられていないＭＣＳインデックスに対応するトランスポートブロックサイズ（ＴＢＳ）値を備え、前記ＵＥに送信された前記ＭＣＳインデックスが、前記割り当てられていないＭＣＳインデックスを備え、
前記少なくとも１つのプロセッサが、リソースユニットのあらかじめ定義された数と前記ＳＩＢ中の前記ＴＢＳ値とに基づいて前記接続要求メッセージを受信するようにさらに構成された、請求項３２に記載の基地局。
【請求項３５】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記少なくとも１つのプロセッサが、前記ランダムアクセス要求が受信されたＰＲＡＣＨリソースに基づいて前記ＵＥからの前記ランダムアクセス要求を解釈するようにさらに構成された、請求項３２に記載の基地局。
【請求項３６】
前記指示がスケーリング値を備え、
前記少なくとも１つのプロセッサが、前記ＳＩＢ中に示された前記スケーリング値によってスケーリングされている前記ＭＣＳインデックスに対応するリソースユニットの数に基づいて前記接続要求メッセージを受信するようにさらに構成された、請求項３２に記載の基地局。
【請求項３７】
前記少なくとも１つのパラメータが、異なるサポートされたカバレージレベルに対して異なるパラメータを備える、請求項３２に記載の基地局。
【請求項３８】
基地局であって、
システム情報ブロック（ＳＩＢ）中で、ランダムアクセス応答許可に関連する少なくとも１つのパラメータの指示を送信するための手段と、
ユーザ機器（ＵＥ）からランダムアクセス要求を受信するための手段と、
前記ＵＥにランダムアクセス応答（ＲＡＲ）中で変調およびコーディング方式（ＭＣＳ）インデックスを送信するための手段と、
前記ＵＥから、前記ＭＣＳインデックスと前記ＳＩＢ中の前記指示とに基づいて接続要求メッセージを受信するための手段と
を備える、基地局。
【請求項３９】
前記指示が、割り当てられていないＭＣＳインデックスのためのＲＡＲパラメータを備え、前記ＵＥに送信された前記ＭＣＳインデックスが、前記割り当てられていないＭＣＳインデックスに対応し、
前記接続要求メッセージを受信するための前記手段が、前記ＳＩＢ中の前記ＲＡＲパラメータに基づいて前記接続要求メッセージを受信するようにさらに構成された、請求項３８に記載の基地局。
【請求項４０】
前記指示が、割り当てられていないＭＣＳインデックスに対応するトランスポートブロックサイズ（ＴＢＳ）値を備え、前記ＵＥに送信された前記ＭＣＳインデックスが、前記割り当てられていないＭＣＳインデックスを備え、
前記接続要求メッセージを受信するための前記手段が、リソースユニットのあらかじめ定義された数と前記ＳＩＢ中の前記ＴＢＳ値とに基づいて前記接続要求メッセージを受信するようにさらに構成された、請求項３８に記載の基地局。
【請求項４１】
前記指示が、第１のトランスポートブロックサイズ（ＴＢＳ）に関連する物理ランダムアクセスチャネル（ＰＲＡＣＨ）リソースの第１のセットの第１の指示と、第２のＴＢＳに関連するＰＲＡＣＨリソースの第２のセットの第２の指示とを備え、
前記基地局が、前記ランダムアクセス要求が受信されたＰＲＡＣＨリソースに基づいて前記ＵＥからの前記ランダムアクセス要求を解釈するための手段をさらに備える、請求項３８に記載の基地局。
【請求項４２】
前記指示がスケーリング値を備え、
前記接続要求メッセージを受信するための前記手段が、前記ＳＩＢ中に示された前記スケーリング値によってスケーリングされている前記ＭＣＳインデックスに対応するリソースユニットの数に基づいて前記接続要求メッセージを受信するようにさらに構成された、請求項３８に記載の基地局。
【請求項４３】
基地局におけるワイヤレス通信のためのコンピュータ実行可能コードを記憶するコンピュータ可読媒体であって、
システム情報ブロック（ＳＩＢ）中で、ランダムアクセス応答許可に関連する少なくとも１つのパラメータの指示を送信することと、
ユーザ機器（ＵＥ）からランダムアクセス要求を受信することと、
前記ＵＥにランダムアクセス応答中で変調およびコーディング方式（ＭＣＳ）インデックスを送信することと、
前記ＵＥから、前記ＭＣＳインデックスと前記ＳＩＢ中の前記指示とに基づいて接続要求メッセージを受信することと
を行うためのコードを備える、コンピュータ可読媒体。
【発明の詳細な説明】
【技術分野】
【０００１】
関連出願の相互参照
[0001]  本出願は、それらの全体が参照により本明細書に明確に組み込まれる、２０１７年１１月１７日に出願された「ＰＨＹＳＩＣＡＬ  ＬＡＹＥＲ  ＥＮＨＡＮＣＥＭＥＮＴＳ  ＦＯＲ  ＥＡＲＬＹ  ＤＡＴＡ  ＴＲＡＮＳＭＩＳＳＩＯＮ」と題する米国仮出願第６２／５８８，２８４号、および２０１８年８月２７日に出願された「ＰＨＹＳＩＣＡＬ  ＬＡＹＥＲ  ＥＮＨＡＮＣＥＭＥＮＴＳ  ＦＯＲ  ＥＡＲＬＹ  ＤＡＴＡ  ＴＲＡＮＳＭＩＳＳＩＯＮ」と題する米国特許出願番号第１６／１１３，４７６号の利益を主張する。
【０００２】
[0002]  本開示は、一般に通信システムに関し、より詳細には、早期データ送信（early data transmission）のための物理レイヤ拡張（physical layer enhancement）に関連する方法および装置に関する。
【背景技術】
【０００３】
[0003]  ワイヤレス通信システム（Wireless communication system）は、電話、ビデオ、データ、メッセージング、およびブロードキャストなどの様々な電気通信サービスを提供するために広く展開されている。典型的なワイヤレス通信システムは、利用可能なシステムリソース（system resource）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]  これらの多元接続技術は、様々なワイヤレスデバイスが都市、国家、地域、さらには地球規模で通信することを可能にする共通プロトコルを提供するために、様々な電気通信規格において採用されている。例示的な電気通信規格は、５Ｇ新無線（ＮＲ：New Radio）である。５Ｇ  ＮＲは、待ち時間、信頼性、安全性、（たとえば、モノのインターネット（ＩｏＴ）による）スケーラビリティ、および他の要件に関連する新しい要件を満たすように第３世代パートナーシッププロジェクト（３ＧＰＰ（登録商標））によって公布された、連続的なモバイルブロードバンドの進化の一部である。５Ｇ  ＮＲのいくつかの態様は、４Ｇロングタームエボリューション（ＬＴＥ（登録商標））規格に基づき得る。５Ｇ  ＮＲ技術は、さらなる改善（improvement）を行う必要がある。これらの改善はまた、他の多元接続技術、およびこれらの技術を採用する電気通信規格に適用可能であり得る。たとえば、早期データ送信を可能にするおよび／または改善するワイヤレス通信（wireless communication）における拡張が必要である。マシン型通信（machine type communication）を用いて早期データ送信を容易にする技法が望ましい。
【発明の概要】
【０００５】
[0005]  以下のことは、１つまたは複数の態様の基本的理解を与えるために、そのような態様の簡略化された概要を提示する。本概要は、すべての企図される態様の広範な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
[0006]  拡張マシン型通信（ｅＭＴＣ：enhanced Machine Type Communication）および／または狭帯域モノのインターネット（ＮＢ−ＩｏＴ：Narrow Band Internet of Things）デバイスなど、通信のために狭帯域（ＮＢ：narrow band）を利用するデバイス（device）の応用および展開に対する関心が高まっている。さらに、早期データ送信（ＥＤＴ：early data transmission）は、アクティブＲＲＣ接続の確立を必要とすることなしにランダムアクセスチャネル（ＲＡＣＨ：random access channel）プロシージャ（procedure）中にアップリンクメッセージ中でのデータ送信を可能にすることによってｅＭＴＣおよびＮＢ−ＩｏＴデバイスのパフォーマンスおよびバッテリー寿命を改善し得る。たとえば、本明細書で提示するいくつかの態様は、ＲＡＣＨ接続要求（Ｍｓｇ３）割振り（allocation）をＥＤＴに適応するように増加することを可能にする。
【０００７】
[0007]  本開示の一態様では、方法、コンピュータ可読媒体（computer-readable medium）、および装置が提供される。装置、たとえば、ユーザ機器（ＵＥ：user equipment）は、基地局（base station）からシステム情報ブロック（ＳＩＢ：System Information Block）中で（たとえば、ランダムアクセス応答許可（random access response grant）に関連する）少なくとも１つのパラメータ（parameter）の指示（indication）を受信するように構成され得る。ＵＥは、基地局にランダムアクセス要求（random access request）を送信し、基地局からランダムアクセス応答中で変調およびコーディング方式（ＭＣＳ：Modulation and Coding Scheme）インデックス（index）を受信し得る。ＵＥは、次いで、ＭＣＳインデックスとＳＩＢ中で受信された指示とに基づいて基地局に接続要求メッセージ（connection request message）を送信し得る。
【０００８】
[0008]  本開示の一態様では、方法、コンピュータ可読媒体、および装置が提供される。装置、たとえば、基地局は、ＳＩＢ中で、ランダムアクセス応答許可に関連する少なくとも１つのパラメータの指示を送信するように構成され得る。基地局は、ＵＥからランダムアクセス要求を受信し、ＵＥにランダムアクセス応答中でＭＣＳインデックスを送信し得る。一構成では、基地局は、さらに、ＵＥから、ＭＣＳインデックスとＳＩＢ中で送信された指示とに基づいて接続要求メッセージを受信し得る。
【０００９】
[0009]  本開示の一態様では、方法、コンピュータ可読媒体、および装置が提供される。装置、たとえば、ＵＥは、基地局にランダムアクセス要求を送信し、基地局からランダムアクセス応答を受信するように構成され得る。一構成では、ＵＥは、次いで、ユーザ機器からの他の送信のための冗長バージョンよりも増加した数の冗長バージョンまたは２つ以上のサブフレーム（subframe）にわたって実行されるレートマッチング（rate matching）のうちの少なくとも１つに基づいて基地局に接続要求メッセージを送信し得る。
【００１０】
[0010]  上記の目的および関係する目的を達成するために、１つまたは複数の態様は、以下で十分に説明し、特に特許請求の範囲において指摘する特徴を備える。以下の説明および付属の図面は、１つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むものである。
【図面の簡単な説明】
【００１１】
【図１】[0011]  ワイヤレス通信システムおよびアクセスネットワークの一例を示す図。
【図２Ａ】[0012]  ＤＬフレーム構造の一例を示す図。
【図２Ｂ】ＤＬフレーム構造内のＤＬチャネルの一例を示す図。
【図２Ｃ】ＵＬフレーム構造の一例を示す図。
【図２Ｄ】ＵＬフレーム構造内のＵＬチャネルの一例を示す図。
【図３】[0013]  アクセスネットワーク内の基地局およびＵＥの一例を示す図。
【図４】[0014]  ランダムアクセスプロシージャ（random access procedure）に関与するＵＥと基地局との間の通信を示す図。
【図５】[0015]  接続要求メッセージ（たとえば、Ｍｓｇ３）の送信のためのランダムアクセス応答許可を解釈する（interpret）ために使用され得る例示的な情報表を示す図。
【図６】[0016]  本明細書で説明するいくつかの態様による、ランダムアクセスプロシージャに関与するＵＥと基地局との間の通信を示す図。
【図７】[0017]  たとえば、ＳＩＢ中でＵＥによって受信された、接続要求メッセージ（たとえば、Ｍｓｇ３）の送信のためのランダムアクセス応答許可を解釈するために使用され得る情報に基づいて構築され得る別の例示的な表を示す図。
【図８】[0018]  いくつかの態様による、様々な例示的なレートマッチング技法（rate matching technique）の絵画図を示す図。
【図９】[0019]  ワイヤレス通信の例示的な方法のフローチャート。
【図１０】[0020]  ワイヤレス通信の別の例示的な方法のフローチャート。
【図１１】[0021]  例示的な装置、たとえば、ＵＥ中の異なる手段／構成要素間のデータフローを示す概念データフロー図。
【図１２】[0022]  処理システムを採用する装置のためのハードウェア実装形態の一例を示す図。
【図１３】[0023]  ワイヤレス通信のさらに別の例示的な方法のフローチャート。
【図１４】[0024]  例示的な装置、たとえば、基地局中の異なる手段／構成要素間のデータフローを示す概念データフロー図。
【図１５】[0025]  処理システムを採用する装置のためのハードウェア実装の一例を示す図。
【発明を実施するための形態】
【００１２】
[0026]  添付の図面に関して以下に記載される発明を実施するための形態は、様々な構成の説明として意図されており、本明細書に記載される概念が実践され得る構成のみを表すように意図されていない。発明を実施するための形態は、様々な概念を完全に理解する目的で具体的な詳細を含む。しかしながら、これらの概念はこれらの具体的な詳細なしに実践され得ることは、当業者には明らかであろう。場合によっては、そのような概念を不明瞭にすることを回避するために、よく知られている構造および構成要素がブロック図の形式で示される。
【００１３】
[0027]  次に、様々な装置および方法を参照して、電気通信システムのいくつかの態様が提示される。これらの装置および方法は、以下の発明を実施するための形態において説明し、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例およびシステム全体に課される設計制約に依存する。
【００１４】
[0028]  例として、要素、または要素の任意の部分、または要素の任意の組合せは、１つまたは複数のプロセッサを含む「処理システム」として実装され得る。プロセッサの例には、マイクロプロセッサ、マイクロコントローラ、グラフィックス処理装置（ＧＰＵ）、中央処理装置（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって記載される様々な機能を実行するように構成された他の適切なハードウェアが含まれる。処理システム内の１つまたは複数のプロセッサはソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１５】
[0029]  したがって、１つまたは複数の例示的な実施形態では、説明する機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、前述のタイプのコンピュータ可読媒体の組合せ、またはコンピュータによってアクセスされ得る命令もしくはデータ構造の形態のコンピュータ実行可能コード（computer executable code）を記憶するために使用され得る任意の他の媒体を備えることができる。
【００１６】
[0030]  図１は、ワイヤレス通信システムおよびアクセスネットワーク１００の一例を示す図である。（ワイヤレスワイドエリアネットワーク（ＷＷＡＮ：wireless wide area network）とも呼ばれる）ワイヤレス通信システムは、基地局１０２と、ＵＥ１０４と、発展型パケットコア（ＥＰＣ：Evolved Packet Core）１６０とを含む。基地局１０２は、マクロセル（高電力セルラー基地局）および／またはスモールセル（低電力セルラー基地局）を含み得る。マクロセルには、基地局が含まれる。スモールセルには、フェムトセル、ピコセル、およびマイクロセルが含まれる。
【００１７】
[0031]  （発展型ユニバーサルモバイルテレコミュニケーションシステム（ＵＭＴＳ）地上波無線アクセスネットワーク（Ｅ−ＵＴＲＡＮ）と総称される）基地局１０２は、バックホールリンク（backhaul link）１３２（たとえば、Ｓ１インターフェース）を介してＥＰＣ１６０とインターフェースする。他の機能に加えて、基地局１０２は、以下の機能、すなわち、ユーザデータの転送と、無線チャネル暗号化および解読と、完全性保護（integrity protection）と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための配信と、ＮＡＳノード選択と、同期と、無線アクセスネットワーク（ＲＡＮ：radio access network）共有と、マルチメディアブロードキャストマルチキャストサービス（ＭＢＭＳ：multimedia broadcast multicast service）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）上で互いと直接または間接的に（たとえば、ＥＰＣ１６０を通して）通信し得る。バックホールリンク１３４は有線またはワイヤレスであり得る。
【００１８】
[0032]  基地局１０２はＵＥ１０４とワイヤレス通信し得る。基地局１０２の各々は、それぞれの地理的カバレージエリア（geographic coverage area）１１０に通信カバレージ（communication coverage）を与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限られたグループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、多入力多出力（ＭＩＭＯ）アンテナ技術を使用し得る。通信リンクは、１つまたは複数のキャリアを通したものであり得る。基地局１０２／ＵＥ１０４は、各方向の送信に使用される合計ＹｘＭＨｚ（ｘ個のコンポーネントキャリア）までのキャリアアグリゲーションにおいて割り振られた、キャリア当たりＹＭＨｚ（たとえば、５、１０、１５、２０、１００ＭＨｚ）までの帯域幅のスペクトルを使用し得る。キャリアは、互いに隣接することも隣接しないこともある。キャリアの割振りは、ＤＬおよびＵＬに対して非対称であり得る（たとえば、ＵＬよりも多いかまたは少ないキャリアがＤＬに割り振られ得る）。コンポーネントキャリア（component carrier）は、１次コンポーネントキャリアと、１つまたは複数の２次コンポーネントキャリアとを含み得る。１次コンポーネントキャリアは１次セル（ＰＣｅｌｌ：primary cell）と呼ばれることがあり、２次コンポーネントキャリアは２次セル（ＳＣｅｌｌ：secondary cell）と呼ばれることがある。
【００１９】
[0033]  いくつかのＵＥ１０４は、デバイス間（Ｄ２Ｄ：device-to-device）通信リンク１９２を使用して互いに通信し得る。Ｄ２Ｄ通信リンク１９２は、ＤＬ／ＵＬ  ＷＷＡＮスペクトルを使用し得る。Ｄ２Ｄ通信リンク１９２は、物理サイドリンクブロードキャストチャネル（ＰＳＢＣＨ：physical sidelink broadcast channel）、物理サイドリンク発見チャネル（ＰＳＤＣＨ：physical sidelink discovery channel）、物理サイドリンク共有チャネル（ＰＳＳＣＨ：physical sidelink shared channel）、および物理サイドリンク制御チャネル（ＰＳＣＣＨ：physical sidelink control channel）などの、１つまたは複数のサイドリンクチャネルを使用し得る。Ｄ２Ｄ通信は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、ＩＥＥＥ８０２．１１規格に基づくＷｉ−Ｆｉ（登録商標）、ＬＴＥ、またはＮＲなどの、様々なワイヤレスＤ２Ｄ通信システムを介し得る。
【００２０】
[0034]  ワイヤレス通信システムは、５ＧＨｚ無認可周波数スペクトル中で通信リンク１５４を介してＷｉ−Ｆｉ局（ＳＴＡ：station）１５２と通信しているＷｉ−Ｆｉアクセスポイント（ＡＰ：access point）１５０をさらに含み得る。無認可周波数スペクトル中で通信するとき、ＳＴＡ１５２／ＡＰ１５０は、チャネルが利用可能であるかどうかを決定するために、通信するより前にクリアチャネルアセスメント（ＣＣＡ：clear channel assessment）を実行し得る。
【００２１】
[0035]  スモールセル１０２’は、認可および／または無認可周波数スペクトル中で動作し得る。無認可周波数スペクトル内で動作するとき、スモールセル１０２’はＮＲを採用し、Ｗｉ−Ｆｉ  ＡＰ１５０によって使用されるのと同じ５ＧＨｚ無認可周波数スペクトルを使用し得る。無認可周波数スペクトル中でＮＲを採用するスモールセル１０２’は、アクセスネットワークへのカバレージをブーストし、および／またはアクセスネットワークの容量を増加させ得る。
【００２２】
[0036]  ｇノードＢ（ｇＮＢ）１８０は、ＵＥ１０４と通信しているミリメートル波（ｍｍＷ：millimeter wave）周波数および／または近ｍｍＷ周波数で動作し得る。ｇＮＢ１８０がｍｍＷまたは近ｍｍＷの周波数で動作するとき、ｇＮＢ１８０はｍｍＷ基地局と呼ばれることがある。極高周波（ＥＨＦ：Extremely high frequency）は電磁スペクトル内のＲＦの一部である。ＥＨＦは３０ＧＨｚ〜３００ＧＨｚのレンジと、１ミリメートルと１０ミリメートルとの間の波長とを有する。その帯域内の電波はミリメートル波と呼ばれることがある。近ｍｍＷは、１００ミリメートルの波長で３ＧＨｚの周波数まで下方に延在し得る。超高周波（ＳＨＦ：super high frequency）帯域は、３ＧＨｚから３０ＧＨｚまで延在し、センチメートル波とも呼ばれる。ｍｍＷ／近ｍｍＷ無線周波数帯域を使用する通信は、極めて高い経路損失と短いレンジとを有する。ｍｍＷ基地局１８０は、極めて高い経路損失と短いレンジとを補償するために、ＵＥ１０４とのビームフォーミング１８４を利用し得る。
【００２３】
[0037]  ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ：Broadcast Multicast Service Center）１７０と、パケットデータネットワーク（ＰＤＮ：Packet Data Network）ゲートウェイ１７２とを含み得る。ＭＭＥ１６２はホーム加入者サーバ（ＨＳＳ：Home Subscriber Server）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を与え得る。すべてのユーザのインターネットプロトコル（ＩＰ）パケットはサービングゲートウェイ１６６を介して転送され、サービングゲートウェイ１６６自体はＰＤＮゲートウェイ１７２に接続される。ＰＤＮゲートウェイ１７２は、ＵＥのＩＰアドレス割振りならびに他の機能を与え得る。ＰＤＮゲートウェイ１７２とＢＭ−ＳＣ１７０とはＩＰサービス１７６に接続される。ＩＰサービス１７６は、インターネット、イントラネット、ＩＰマルチメディアサブシステム（ＩＭＳ）、ＰＳストリーミングサービス、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働くことができ、公的地域モバイルネットワーク（ＰＬＭＮ）内のＭＢＭＳベアラサービスを認可および開始するために使用されてよく、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ：Multicast Broadcast Single Frequency Network）エリアに属する基地局１０２にＭＢＭＳトラフィックを配信するために使用され得、セッション管理（開始／停止）と、ｅＭＢＭＳ関連の課金情報を収集することとを担当し得る。
【００２４】
[0038]  基地局は、ｇＮＢ、ノードＢ、発展型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または何らかの他の適切な用語で呼ばれることもある。基地局１０２は、ＵＥ１０４にＥＰＣ１６０へのアクセスポイントを与える。ＵＥ１０４の例には、携帯電話、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、車両、電気メータ、ガスポンプ、大もしくは小の台所器具、ヘルスケアデバイス、インプラント、ディスプレイ、または任意の他の同様の機能デバイスが含まれる。ＵＥ１０４のうちのいくつかは、ＩｏＴデバイス（たとえば、パーキングメータ、ガスポンプ、トースタ、車両、心臓モニタなど）と呼ばれることがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００２５】
[0039]  再び図１を参照すると、いくつかの態様では、ＵＥ１０４と基地局１８０とは、早期データ送信（１９８）をサポートし得る。一態様では、基地局１８０は、たとえば、ＲＡＣＨプロシージャ中の早期データ送信を容易にするためにＳＩＢ中で指示を送信し得、ＵＥ１０４は、図４〜図１５に関してより詳細に説明するように、ＳＩＢ中の指示に少なくとも部分的に基づいて早期データ送信を実行し得る（１９８）。この文脈における様々な追加の特徴について、以下でより詳細に説明する。
【００２６】
[0040]  図２Ａは、ＤＬフレーム構造の一例を示す図２００である。図２Ｂは、ＤＬフレーム構造内のチャネルの一例を示す図２３０である。図２Ｃは、ＵＬフレーム構造の一例を示す図２５０である。図２Ｄは、ＵＬフレーム構造内のチャネルの一例を示す図２８０である。他のワイヤレス通信技術は、異なるフレーム構造および／または異なるチャネルを有し得る。フレーム（１０ｍｓ）は、等しいサイズの１０個のサブフレームに分割され得る。各サブフレームは、２つの連続するタイムスロットを含み得る。２つのタイムスロットを表すためにリソースグリッド（resource grid）が使用され得、各タイムスロットは、１つまたは複数の（物理ＲＢ（ＰＲＢ：physical RB）とも呼ばれる）時間並列リソースブロック（ＲＢ：resource block）を含む。リソースグリッドは複数のリソース要素（ＲＥ：resource element）に分割される。ノーマルサイクリックプレフィックス（normal cyclic prefix）の場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含み得る。拡張サイクリックプレフィックス（extended cyclic prefix）の場合、ＲＢは、合計７２個のＲＥについて、周波数領域内に１２個の連続するサブキャリアを含んでおり、時間領域内に６個の連続するシンボルを含み得る。各ＲＥによって搬送されるビットの数は変調方式に依存する。
【００２７】
[0041]  図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａに、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。
【００２８】
[0042]  図２Ｂに、フレームのＤＬサブフレーム内の様々なチャネルの一例を示す。物理制御フォーマットインジケータチャネル（ＰＣＦＩＣＨ：physical control format indicator channel）はスロット０のシンボル０内にあり、物理ダウンリンク制御チャネル（ＰＤＣＣＨ：physical downlink control channel）が１つのシンボルを占有するか、２つのシンボルを占有するか、３つのシンボルを占有するかを示す制御フォーマットインジケータ（ＣＦＩ：control format indicator）を搬送する（図２Ｂは、３つのシンボルを占有するＰＤＣＣＨを示す）。ＰＤＣＣＨは、１つまたは複数の制御チャネル要素（ＣＣＥ：control channel element）内でダウンリンク制御情報（ＤＣＩ：downlink control information）を搬送し、各ＣＣＥは９つのＲＥグループ（ＲＥＧ）を含み、各ＲＥＧはＯＦＤＭシンボル内に４つの連続するＲＥを含む。ＵＥは、ＤＣＩも搬送するＵＥ固有拡張ＰＤＣＣＨ（ｅＰＤＣＣＨ）で構成される場合がある。ｅＰＤＣＣＨは、２つ、４つ、または８つのＲＢペアを有する場合がある（図２Ｂは２つのＲＢペアを示し、各サブセットは１つのＲＢペアを含む）。物理ハイブリッド自動再送要求（ＡＲＱ）（ＨＡＲＱ）インジケータチャネル（ＰＨＩＣＨ：physical hybrid automatic repeat request indicator channel）もスロット０のシンボル０内にあり、物理アップリンク共有チャネル（ＰＵＳＣＨ：physical uplink shared channel）に基づいてＨＡＲＱ肯定応答（ＡＣＫ）／否定ＡＣＫ（ＮＡＣＫ）フィードバックを示すＨＡＲＱインジケータ（ＨＩ）を搬送する。１次同期チャネル（ＰＳＣＨ：primary synchronization channel）は、フレームのサブフレーム０および５内のスロット０のシンボル６内にあり得る。ＰＳＣＨは、サブフレーム／シンボルタイミングと物理レイヤ識別情報とを決定するためにＵＥ１０４によって使用される１次同期信号（ＰＳＳ：primary synchronization signal）を搬送する。２次同期チャネル（ＳＳＣＨ：secondary synchronization channel）は、フレームのサブフレーム０および５内のスロット０のシンボル５内にあり得る。ＳＳＣＨは、物理レイヤセル識別情報グループ番号と無線フレームタイミングとを決定するためにＵＥによって使用される２次同期信号（ＳＳＳ：secondary synchronization signal）を搬送する。物理レイヤ識別情報および物理レイヤセル識別情報グループ番号に基づいて、ＵＥは物理セル識別子（ＰＣＩ：physical cell identifier）を決定することができる。ＰＣＩに基づいて、ＵＥは前述のＤＬ−ＲＳの位置を決定することができる。マスタ情報ブロック（ＭＩＢ：master information block）を搬送する物理ブロードキャストチャネル（ＰＢＣＨ：physical broadcast channel）は、同期信号（ＳＳ：synchronization signal）ブロックを形成するためにＰＳＣＨおよびＳＳＣＨと論理的にグループ化され得る。ＭＩＢは、ＤＬシステム帯域幅中のＲＢの数と、ＰＨＩＣＨ構成と、システムフレーム番号（ＳＦＮ：system frame number）とを与える。物理ダウンリンク共有チャネル（ＰＤＳＣＨ：physical downlink shared channel）は、ユーザデータと、システム情報ブロック（ＳＩＢ）などのＰＢＣＨを介して送信されないブロードキャストシステム情報と、ページングメッセージとを搬送する。
【００２９】
[0043]  図２Ｃに示されているように、ＲＥのうちのいくつかが、基地局におけるチャネル推定のための復調基準信号（ＤＭ−ＲＳ：demodulation reference signal）を搬送する。ＵＥは、サブフレームの最後のシンボル中でサウンディング基準信号（ＳＲＳ：sounding reference signal）をさらに送信し得る。ＳＲＳはコーム構造（comb structure）を有し得、ＵＥはコームのうちの１つの上でＳＲＳを送信し得る。ＳＲＳは、チャネル品質推定がＵＬ上での周波数依存スケジューリングを可能にするために、基地局によって使用され得る。
【００３０】
[0044]  図２Ｄに、フレームのＵＬサブフレーム内の様々なチャネルの一例を示す。物理ランダムアクセスチャネル（ＰＲＡＣＨ：Physical Random Access Channel）は、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨにより、ＵＥが初期システムアクセスを実行し、ＵＬ同期を実現することが可能になる。物理アップリンク制御チャネル（ＰＵＣＣＨ：physical uplink control channel）は、ＵＬシステム帯域幅のエッジ上に位置し得る。ＰＵＣＣＨは、スケジューリング要求、チャネル品質インジケータ（ＣＱＩ：channel quality indicator）、プリコーディング行列インジケータ（ＰＭＩ：precoding matrix indicator）、ランクインジケータ（ＲＩ：rank indicator）、およびＨＡＲＱ  ＡＣＫ／ＮＡＣＫフィードバックなどのアップリンク制御情報（ＵＣＩ：uplink control information）を搬送する。ＰＵＳＣＨは、データを搬送し、バッファステータス報告（ＢＳＲ：buffer status report）、パワーヘッドルーム報告（ＰＨＲ：power headroom report）、および／またはＵＣＩを搬送するためにさらに使用され得る。
【００３１】
[0045]  図３は、アクセスネットワーク内でＵＥ３５０と通信している基地局３１０のブロック図である。ＤＬでは、ＥＰＣ１６０からのＩＰパケットがコントローラ／プロセッサ３７５に与えられ得る。コントローラ／プロセッサ３７５はレイヤ３およびレイヤ２の機能を実装する。レイヤ３は、無線リソース制御（ＲＲＣ：radio resource control）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／復元と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ：transport block）上へのＭＡＣ  ＳＤＵの多重化と、ＴＢからのＭＡＣ  ＳＤＵの多重分離と、スケジューリング情報報告と、ＨＡＲＱを介した誤り訂正と、優先度処理と、論理チャネル優先度付けとに関連するＭＡＣレイヤ機能を与える。
【００３２】
[0046]  送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ））に基づく信号コンスタレーションへのマッピングを扱う。コーディングされ変調されたシンボルは、次いで、並列ストリームに分割され得る。各ストリームは、次いで、時間領域ＯＦＤＭシンボルストリームを搬送する物理チャネルを生じるために、ＯＦＤＭサブキャリアにマッピングされ、時間領域および／または周波数領域中で基準信号（たとえば、パイロット）と多重化され、次いで、逆高速フーリエ変換（ＩＦＦＴ）を使用して互いに合成され得る。ＯＦＤＭストリームは、複数の空間ストリームを生じるために空間的にプリコーディングされる。チャネル推定器３７４からのチャネル推定値は、コーディングおよび変調方式を判断するために、ならびに空間処理のために使用され得る。チャネル推定値は、ＵＥ３５０によって送信された基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００３３】
[0047]  ＵＥ３５０において、各受信機３５４ＲＸは、受信機のそれぞれのアンテナ３５２を介して信号を受信する。各受信機３５４ＲＸは、ＲＦキャリア上に変調された情報を復元し、その情報を受信（ＲＸ）プロセッサ３５６に与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ）を使用して、ＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルおよび基準信号は、基地局３１０によって送信される、可能性が最も高い信号コンスタレーションポイントを決定することによって復元および復調される。これらの軟判定は、チャネル推定器３５８によって算出されるチャネル推定値に基づき得る。軟判定は、次いで、物理チャネル上で基地局３１０によって最初に送信されたデータと制御信号とを復元するために復号およびデインターリーブされる。データおよび制御信号は、次いで、レイヤ３およびレイヤ２機能を実装するコントローラ／プロセッサ３５９に与えられる。
【００３４】
[0048]  コントローラ／プロセッサ３５９は、プログラムコードとデータとを記憶するメモリ３６０に関連付けられ得る。メモリ３６０は、コンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の逆多重化と、パケットリアセンブリと、解読と、ヘッダ解凍と、制御信号処理とを与える。コントローラ／プロセッサ３５９はまた、ＨＡＲＱ動作をサポートするために、ＡＣＫおよび／またはＮＡＣＫプロトコルを使用する誤り検出を担当する。
【００３５】
[0049]  基地局３１０によるＤＬ送信に関して記載された機能と同様に、コントローラ／プロセッサ３５９は、システム情報（たとえば、ＭＩＢ、ＳＩＢ）収集、ＲＲＣ接続、および測定報告に関連するＲＲＣレイヤ機能と、ヘッダ圧縮／解凍およびセキュリティ（暗号化、解読、完全性保護、完全性検証）に関連するＰＤＣＰレイヤ機能と、上位レイヤＰＤＵの転送、ＡＲＱを介した誤り訂正、ＲＬＣ  ＳＤＵの連結、セグメンテーション、およびリアセンブリ、ＲＬＣデータＰＤＵの再セグメンテーション、ならびにＲＬＣデータＰＤＵの並べ替えに関連するＲＬＣレイヤ機能と、論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを介した誤り訂正、優先度処理、および論理チャネル優先度付けに関連するＭＡＣレイヤ機能とを与える。
【００３６】
[0050]  基地局３１０によって送信される基準信号またはフィードバックからの、チャネル推定器３５８によって導出されるチャネル推定値は、適切なコーディングおよび変調方式を選択することと、空間処理を容易にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３７】
[0051]  ＵＬ送信は、ＵＥ３５０における受信機機能に関して記載された方式と同様の方式で、基地局３１０において処理される。各受信機３１８ＲＸは、受信機のそれぞれのアンテナ３２０を介して信号を受信する。各受信機３１８ＲＸは、ＲＦキャリア上で変調された情報を復元し、ＲＸプロセッサ３７０に情報を与える。
【００３８】
[0052]  コントローラ／プロセッサ３７５は、プログラムコードとデータとを記憶するメモリ３７６に関連付けられ得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の逆多重化と、パケットリアセンブリと、解読と、ヘッダ解凍と、制御信号処理とを与える。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用して誤り検出を担当する。
【００３９】
[0053]  拡張マシン型通信（ｅＭＴＣ）および／または狭帯域モノのインターネット（ＮＢ−ＩｏＴ）デバイスなど、通信のために狭帯域（ＮＢ）を利用するデバイスの応用および展開に対する関心が高まっている。さらに、ＲＡＣＨプロシージャ中のアップリンクメッセージ中でのデータ送信を可能にするためのｅＭＴＣおよびＮＢ−ＩｏＴにおける早期データ送信が探求されている。
【００４０】
[0054]  ワイヤレスセルラーネットワークにアクセスすることを試みている（たとえば、接続されることを試みている）ことがあるＵＥは、最初のネットワークアクセスのためのＲＡＣＨプロシージャを開始し得る。ＵＥがネットワークに接続されていないことがあるので、ＵＥは、接続することに対するそれの要望に関してネットワークに通知するために利用可能なリソースが割り振られていないことがある。代わりに、ＵＥは、共有媒体、すなわち、ＲＡＣＨを介して要求を送り得る。ＵＥがＮＢ−ＩｏＴおよび／またはｅＭＴＣデバイスである場合、使用され得る共有媒体は、ＮＢ−ＩｏＴ物理ランダムアクセスチャネル（ＮＰＲＡＣＨ：NB-IoT physical random access channel）である。
【００４１】
[0055]  競合ベース（contention-based）のＲＡＣＨプロシージャでは、ＵＥは、基地局（たとえば、ｅＮＢ）にＲＡＣＨ送信を送り、ＲＡＣＨ応答（ＲＡＲ：RACH response）メッセージをリッスン（listen）し得る。ＲＡＲでは、基地局は、ＲＡＣＨプロシージャの一部として基地局に次のメッセージを送信するためのリソース（resource）をＵＥに割り当て得る。ＵＥは、ＲＡＲメッセージ中で識別されるアップリンク共有チャネル（ＵＬ  ＳＣＨ：uplink shared channel）リソースを介してＲＡＲメッセージに応答して（Ｍｓｇ３と呼ばれることもある）接続要求／第３のメッセージを送り得る。図４は、本明細書で説明するいくつかの態様による、例示的なＲＡＣＨプロシージャ（procedure）を示す図４００である。ＵＥ４０２（たとえば、ＮＢ−ＩｏＴまたはｅＭＴＣ型のデバイス）は、基地局４０４との競合ベースのＲＡＣＨプロシージャに関与し得る。ＲＡＣＨプロシージャは、ＵＥ４０２と基地局４０４との間でのメッセージ交換、第１のメッセージ４０６（たとえば、Ｍｓｇ１）、第２のメッセージ４０８（たとえば、Ｍｓｇ２）、第３のメッセージ４１０（たとえば、Ｍｓｇ３）、および第４のメッセージ４１２を含み得る。一態様では、ＵＥ４０２は、第１のメッセージ４０６中で送信するための利用可能なＲＡＣＨプリアンブル（preamble）を選択し得る。ＵＥ４０２は、第３のメッセージ４１０（Ｍｓｇ３）を送信するために必要とされる送信リソースのサイズに基づいてシグナチャ（signature）を選択し得る。選択されたシグナチャ（またはプリアンブル）は、（ＮＢ−ＩｏＴのコンテキストではＮＰＲＡＣＨとも呼ばれる）第１のメッセージ４０６中で基地局４０４にＵＥ４０２によって送信され得る。
【００４２】
[0056]  第１のメッセージ４０６を受信したことに応答して、基地局４０４は、ＵＥ４０２に第２のメッセージ４０８を送信し得る。第２のメッセージ４０８は、たとえば、ＰＤＳＣＨを介して送られたＲＡＲメッセージであり得る。第２のメッセージ４０８は、特に、最初のアップリンクリソース許可を与え、ＵＥ４０２が第３のメッセージ４１０（Ｍｓｇ３）を送信するためのＭＣＳインデックスを示し得る。ＲＡＲメッセージ４０８中の示されたＭＣＳインデックスにより、ＵＥは、ＲＡＲメッセージ４０８中の許可（grant）を理解し、Ｍｓｇ３送信のための変調およびコーディング方式と、リソースユニット（ＲＵ：resource unit）の数と、トランスポートブロックサイズ（ＴＢＳ：Transport Block Size）とを決定することが可能になり得る。これは、示されたＭＣＳインデックスを使用して（たとえば、以下で説明する表５０２および他の表などの）表検索を実行することによってＵＥ４０２によって達成され得る。たとえば、ＲＡＲメッセージ（Ｍｓｇ２）中の示されたＭＣＳインデックスに基づいて、ＵＥは、表検索を実行し、Ｍｓｇ３を送信するための変調と、リソースユニットの数と、ＴＢＳとを決定し得る。以下で説明するように、いくつかの態様では、表は、あらかじめ定義され、ＵＥ４０２中に事前構成され得る。
【００４３】
[0057]  ＵＥ４０２は、次いで、たとえば、リソースユニットの決定された数に基づいて基地局４０４に第３のメッセージ４１０（Ｍｓｇ３）を送信し得る。第３のメッセージ４１０は、ＲＲＣ接続要求メッセージを含み得る。第３のメッセージ４１０を受信した後に、基地局４０４は、ＵＥ４０２に第４のメッセージ４１２を送信し得る。第４のメッセージ４１２は、競合解消メッセージ（contention resolution message）であり得る。
【００４４】
[0058]  いくつかの従来のシステムでは、Ｍｓｇ３は、極めて小さいペイロード（payload）を有し得るＲＲＣ接続要求を搬送するにすぎない。たとえば、Ｍｓｇ３について現在、いくつかのシステムでは、８８ビットのトランスポートブロックサイズが許可され得る。しかしながら、ｅＭＴＣおよび／またはＮＢ−ＩｏＴを用いた早期データ送信を利用することが望ましい。様々なアプリケーションでは、以下でより詳細に説明するようにＭｓｇ３を使用してアプリケーションデータを送信することが望ましいことがある。本明細書で説明する提案された技法の様々な態様によれば、（たとえば、リソースユニットの数、ＴＢＳなどに関する）Ｍｓｇ３の割振りが増加され、ＵＥが、Ｍｓｇ３送信のためにフレキシブルなトランスポートブロックサイズおよび／または他のパラメータを使用することが可能になり得る。
【００４５】
[0059]  図５に、一態様による、Ｍｓｇ３の送信のためのＲＡＲ許可を解釈するための情報表５０２を示す図５００を示す。第１の列５０５は、ＭＣＳインデックス情報に対応し、第１の列５０５中の各エントリは、ＭＣＳインデックスを示す。第２の列５１０は、（サブキャリア間隔Δｆ＝３．７５ＫＨｚまたは１５ＫＨｚおよびサブキャリア割振りのサブキャリア指示Ｉｓｃ＝０，１，２，．．．，１１のための）変調情報に対応し、第２の列５１０中の各エントリは、（たとえば、ＲＡＲメッセージ中の）ＵＥに示されるＭＣＳインデックスに基づいてＵＥによって使用され得る変調技法を示す。第３の列５１５は、（Δｆ＝１５ＫＨｚおよびＩｓｃ＞１１のための）変調情報に対応し、第３の列５１５中の各エントリは、サブキャリア割振りが１１よりも大きいときにＵＥに示されるＭＣＳインデックスに基づいてＵＥによって使用され得る変調技法を示す。第４の列５２０中の各エントリは、リソースユニットの数（ＮRU）を示す。第５の列５２５中の各エントリはＴＢＳを示す。一態様では、表５０２を使用して、ＵＥは、Ｍｓｇ３送信のための変調方式、リソースユニット（ＲＵ）の数、およびＴＢＳを決定するために基地局からＲＡＲ中でＵＥによって受信されたＭＣＳインデックスをマッピングし得る。たとえば、表５０２でわかるように、各ＭＣＳインデックスは、変調技法、ＲＵの数およびＴＢＳに対応する。ＵＥが（ＵＥに記憶されるおよび／または場合によってはＵＥによってアクセス可能であり得る）表５０２に基づいて「０００」のＭＣＳインデックスをシグナリングされた場合、ＵＥは、Ｍｓｇ３のために使用されるべき変調が、（サブキャリア割振りＩｓｃ＝０，１，．．．，１１である場合）「ｐｉ／２  ＢＰＳＫ」であり、リソースユニットの数（ＮRU）＝４であり、ＴＢＳが８８ビットであると決定し得る。わかるように、図示の例示的な表５０２中でＭＣＳインデックス「０１１」〜「１１１」に対応するエントリは、予約されているものとして示されている。予約されたインデックス（reserved indices）は、本明細書では割り当てられていないインデックス（unassigned index）と呼ばれることもある。予約された／割り当てられていないフィールドは、たとえば、異なる事業者／サービスプロバイダによって、必要に応じて異なる用途および／またはアプリケーションのためにカスタマイズされ得る。
【００４６】
[0060]  上述のように、様々なアプリケーションでは、Ｍｓｇ３を使用してアプリケーションデータを送信することが望ましいことがある。ただし、先に述べたようにおよび表５０２からわかるように、現在Ｍｓｇ３について、いくつかのシステムでは８８ビットのトランスポートブロックサイズが許可されており、これは、（たとえば、Ｍｓｇ３の通常のペイロードデータに加えた）追加のデータの送信のために十分でないことがある。したがって、（たとえば、ＥＤＴが望まれるときの）追加のデータの送信のために、データの追加の量が送信され得るように、たとえば、増加したＴＢＳのために、Ｍｓｇ３に増加した割振りが望まれることがある。
【００４７】
[0061]  １つの手法は、たとえば、予約されたＭＣＳインデックスに対応する変調方式、ＴＢＳおよびＮRUを定義することによって追加のトランスポートブロックサイズとリソースユニットの数とを定義しサポートするために表５０２中に新しいＴＢＳ／ＮRUエントリを追加するために予約された／割り当てられていないＭＣＳインデックスビットのうちのいくつかを使用することを含み得る。しかしながら、そのような手法は、いくつかの制限を有する。たとえば、将来のアプリケーションおよび／または使用事例のための予約された値が活用され、これは、（たとえば、表５０２中の予約されたビットおよびエントリの数が低減されることになるので）将来の変更の可能性を低減するという点で、そのような手法は前方互換性がないことがある。別の制限は、この手法が、小さいセットのトランスポートブロックサイズを定義すること、たとえば、それが予約されたＭＣＳインデックスに対応することしか許可しないことがあるということである。異なるアプリケーションは、異なるペイロードサイズ要件を有し得、したがって、小さいセットのあらかじめ定義されたトランスポートブロックサイズ（predefined transport block size）は、異なるペイロードサイズ（payload size）をもつ多種多様なアプリケーションとうまく動作しないことがある。たとえば、４００ビットを使用可能な新しいＴＢＳが追加される場合、約４００ビットのペイロードサイズを有し得るアプリケーションのためのアプリケーションデータを送信するために新しいＴＢＳが利用され得る。しかしながら、６００ビットのペイロードサイズを有し得る別のアプリケーションは、４００ビットの新しいＴＢＳを使用することができないことがある。
【００４８】
[0062]  本明細書で説明する方法のいくつかの態様によれば、新しいトランスポートブロックサイズのセットをあらかじめ定義し、表５０２を変更することによって予約された／割り当てられていないビットを使用するのではなく、基地局（たとえば、基地局４０４）は、シグナリングされた情報に基づいてランダムアクセス応答（ＲＡＲ：random access response）メッセージ中での割振りを解釈することによって（たとえば、Ｍｓｇ３を送信するための）ＴＢＳおよび／またはリソースユニットの数（ＮRU）を決定することをＵＥ（たとえば、ＵＥ４０２）が行うことを可能にし得る情報を（たとえば、ＳＩＢ中で）シグナリングし得る。一態様では、ＵＥは、以下でより詳細に説明するように、ＳＩＢ中でシグナリングされた情報、たとえば、パラメータに基づいて（たとえば、基地局からＵＥへのＲＡＲメッセージ中で示される）ＲＡＲ許可を解釈するように構成され得る。
【００４９】
[0063]  図６は、いくつかの態様による、ＲＡＣＨプロシージャ中の早期データ送信をサポートする例示的なプロセスを示す図６００である。図６に示し、以下で説明する例では、基地局４０４は、ＳＩＢ６０４を介してＵＥ４０２に指示を与え得、ＵＥ４０２は、本明細書で説明する方法のいくつかの態様によれば指示に基づいてＲＡＲメッセージ中の割振りを解釈し得る。図示のように、ＵＥ４０２は、ＵＥ４０２がＲＡＣＨプロシージャ中の早期データ送信のための１つまたは複数のパラメータを決定するのを可能にするためのおよび／またＵＥ４０２が基地局４０４からのアンＲＡＲメッセージ中の割振りを解釈することを可能にするための情報（たとえば、指示）を含むＳＩＢ６０４を受信し得る。早期データ送信を容易にするためにＳＩＢを介してシグナリングされ得る様々なタイプの情報についてより詳細に以下で説明する。
【００５０】
[0064]  図４に関して説明した例と同様に、ＵＥ４０２は、基地局４０４を用いるＲＡＣＨプロシージャに関与し得る。しかしながら、本例では、ＳＩＢ６０４を受信すると、ＵＥ４０２は、ＳＩＢ中で受信された情報に少なくとも部分的に基づいてＲＡＣＨプロシージャを実行し得る。ＲＡＣＨプロシージャは、ＵＥ４０２と基地局４０４との間でのメッセージ交換、第１のメッセージ６０６（たとえば、ランダムアクセス要求またはＭｓｇ１）、第２のメッセージ６０８（たとえば、ランダムアクセス応答またはＭｓｇ２）、第３のメッセージ６１０（たとえば、接続要求またはＭｓｇ３）、および第４のメッセージ（解消／応答メッセージまたはＭｓｇ４）６１２を含み得る。ＵＥ４０２は、第１のメッセージ６０６（たとえば、狭帯域通信のコンテキストではＮＰＲＡＣＨ）中でプリアンブルを基地局４０４送信し得る。いくつかの構成では、ＵＥ４０２は、以下で説明するようにＳＩＢ６０４中に示された情報に基づいて第１のメッセージを送信するためのリソースを選択し得る。第１のメッセージ６０６を受信したことに応答して、基地局４０４は、ＵＥ４０２に第２のメッセージ６０８を送信し得る。第２のメッセージ６０８は、ＲＡＲメッセージ（Ｍｓｇ２）であり得る。上記で説明したように、第２のメッセージ６０８は、特に、最初のアップリンクリソース許可を与え、ＵＥ４０２が第３のメッセージ６１０（Ｍｓｇ３）を送信するためのＭＣＳインデックスを示し得る。一態様によれば、ＵＥ４０２は、（６２５において）ＳＩＢ６０４中で受信された情報に基づいてＲＡＲを処理する、たとえば、解釈するように構成され得る。ＳＩＢ６０４中で受信された指示とＲＡＲメッセージ６０８中で示されたＭＣＳインデックスとに基づいて、ＵＥ４０２は、ＲＡＲメッセージ６０８中の許可を解釈し、Ｍｓｇ３送信のための変調およびコーディング技法と、リソースユニットの数と、ＴＢＳとを決定し得る。いくつかの構成では、決定は、ＳＩＢ６０４中で受信された情報とＲＡＲ６０８からのＭＣＳインデックスとを使用して（たとえば、以下で説明する表５０２および他の表などの）表検索を実行することを含み得る。いくつかの態様では、そのような表は、あらかじめ定義され、ＵＥ４０２中に事前構成され得る。ＵＥ４０２は、次いで、たとえば、ＲＡＲ６０８の理解とＳＩＢ６０４を介して受信された情報とに基づいて基地局４０４に第３のメッセージ６１０（Ｍｓｇ３）を（６３０において）送信し得る。様々な構成では、上記で説明したプロセスによれば、ＵＥ４０２は、ＲＡＲ６０８とＳＩＢ６０４を介して受信された情報とに基づいて第３のメッセージ６１０中で比較的より大きいサイズのペイロードを送信することが可能であり得る。いくつかの構成では、ＵＥ４０２から第３のメッセージ６１０を受信した後に、基地局４０４は、ＵＥ４０２に許可を確認し得る第４のメッセージ６１２（たとえば、競合解消メッセージ）を送信し得る。
【００５１】
[0065]  本明細書で説明する様々な態様によれば、ＵＥ４０２は、ＳＩＢ中の情報に基づいて（たとえば、ＲＡＲメッセージ６０８中に示された）ＲＡＲ許可を解釈し得る。所与の構成によれば、様々なタイプの情報は、早期データ送信を容易にするためにＳＩＢを介してシグナリングされ得る。たとえば、１つの例示的な構成では、ＳＩＢ６０４は、（たとえば、ＲＡＲ許可６０８と表５０２との中のＭＣＳインデックスに基づく）ＴＢＳの通常の割振りがＭｓｇ３  ６１０の送信のための新しい増加したＴＢＳを決定するためにＳＩＢ６０４中に示された乗法値（multiplicative value）によって乗じられ得ることを示す（たとえば、表５０２中の）ＴＢＳエントリのための乗法値を含み得る。たとえば、ＳＩＢ６０４は、ＲＡＲ許可に基づくＴＢＳが２で乗じられなければならないことを示す乗法値、たとえば、×２を示し得る。したがって、そのような例示的な場合では、表５０２と受信された指示とに基づいて、ＵＥ４０２は、早期データ送信のための新しいＴＢＳをＴＢＳ＝８８×２＝１７６ビットとして決定し得る。リソースユニットの数（ＮRU）はまた、いくつかの構成では、同じ値でＥＤＴ目的のためにスケーリングされ得る。たとえば、ＳＩＢ６０４が「２」の倍率を示し、ＲＡＲ許可が「０１１」のＭＣＳインデックスを示す場合、ＵＥ４０２は、Ｍｓｇ３中でのデータ送信について、ＴＢＳ＝２×８８＝１７６ビットであり、（ＮRU）＝２×４＝８であると決定し得る。変調（表５０２の列５１０および５１５）について、ＵＥ４０２は、ＲＡＲメッセージ６０８中に指定されているＭＣＳインデックス、たとえば、この例ではＭＣＳインデックス「０００」に対応する変調エントリを使用し得る。
【００５２】
[0066]  別の態様によれば、ＳＩＢ６０４は、予約された／割り当てられていないフィールド／値の各々のためのエントリのセット、たとえば、表５０２に示す予約されたフィールドに対応するエントリを含み得る。たとえば、予約されたＭＣＳインデックス（０１１、１００、１０１、１１０、および１１１）の各々について、ＳＩＢ６０４は、変調技法を示すエントリのセットと、ＮRUのエントリ／値のセットと、ＴＢＳのエントリ／値のセットとを示し得る。（所与のパラメータのための）エントリの各セットが複数のエントリを含む場合、複数の表が生成され得る。（たとえば、基地局４０４から）ＳＩＢ６０４中で受信された情報に基づいて、Ｍｓｇ３を送信するときに使用するための別の表が（たとえば、ＵＥ４０２によって）構築され得る。ＵＥ４０２がＭＣＳインデックスを示すＲＡＲ許可を受信するとき、ＵＥ４０２は、Ｍｓｇ３を送信するためのパラメータ（変調、ＮRU、および／またはＴＢＳ）を決定するためにＳＩＢ６０４に基づいて生成された表を検索するためにＭＣＳインデックスを使用し得る。たとえば、図７は、１つの特定の構成におけるＳＩＢ６０４中で受信された（たとえば、割り当てられていないフィールドに対応するエントリに関する）情報に基づいて構築され得る例示的な表７０２の図７００を示す。表７０２に示すように、（列７０５中の）ＭＣＳインデックス「０１１」、「１００」、「１０１」、「１１０」、および「１１１」のための（それぞれの列７１０、７１５、７２０、および７２５中の）変調、ＮRU、およびＴＢＳフィールドに対応するエントリは、基地局４０４からのＳＩＢ中に示された情報に基づいてポピュレート（populate）され得る。たとえば、ＳＩＢ６０４は、ＭＣＳインデックス０１１のための変調と、ＮRUとＴＢＳとの第１のセット、ＭＣＳインデックス１００のための変調と、ＮRUとＴＢＳとの第２のセット、ＭＣＳインデックス１０１のための変調と、ＮRUとＴＢＳとの第３のセット、ＭＣＳインデックス１１０のための変調と、ＮRUとＴＢＳとの第４のセット、およびＭＣＳインデックス１１１のための変調と、ＮRUとＴＢＳとの第５のセットを示し得る。ＳＩＢ６０４が予約された／割り当てられていないフィールド／値の各々のためのエントリのセットを含み得るので、複数のそのような表は、各表が例示的な表７０２に示すパラメータの各々に対応する予約されたフィールドの各々について１つのエントリを含んだ状態でＳＩＢ６０４中の情報に基づいて生成され得る。
【００５３】
[0067]  ＲＡＲ許可中で受信されたＭＣＳインデックスに基づいて、ＵＥ４０２は、Ｍｓｇ３を送信するためのパラメータ（たとえば、ＴＢＳ、リソースの数、および／または他のパラメータ）を決定するために表７０２中の（たとえば、表７０２中でＭＣＳインデックスに対応する行中の）対応するエントリを検索し得る。簡単のために５つのＭＣＳインデックスに対応する情報を含むように例示的な表７０２が示されているが、異なる数のエントリ（たとえば、３２個、６４個など）をもつ表がいくつかの他の例では生成され得る。
【００５４】
[0068]  別の例示的な態様では、ＳＩＢ６０４は、Ｍｓｇ３送信のための少なくとも１つのパラメータの指示を含み得る。そのような態様では、予約されたＭＣＳインデックス「０１１」、「１００」、「１０１」、「１１０」、および「１１１」のためのＲＵの数（ＮRU）を指定し得る（たとえば、表５０２以外の）別の表が使用され得、一方、各場合のためのＴＢＳ（たとえば、ＭＣＳインデックスの各々）は、ＳＩＢ６０４を介して基地局によってシグナリングされ得る。いくつかの構成では、表は、予約されたＭＣＳインデックス「０１１」〜「１１１」の各々のためのリソースユニットの数（ＮRU）を指定するにすぎないことがある。ＲＵの数を指定するそのような表は、事前構成され得るか、または基地局４０４によってＵＥ４０２に与えられ得る。たとえば、そのような表は、ＭＣＳインデックスを示す（列５０５などの）第１の列とＭＣＳインデックスの各々に対応するＲＵの数（ＮRU）値を含む（列５２０などの）第２の列とを備え得る。再び、ＭＣＳインデックス「０１１」〜「１１１」について、ＵＥ４０２は、表に基づいてＭｓｇ３を送信するためのパラメータを決定し得（たとえば、ＲＡＲ６０８中に示されたＭＣＳインデックスに対応するＮRUを決定するために表を使用し得）、ＳＩＢに基づいてそれを決定し得る（たとえば、示されたＭＣＳインデックスに対応するＳＩＢ６０４中に示されたＴＢＳを使用し得る）。たとえば、一構成では、ＳＩＢ６０４は、予約されたＭＣＳインデックスのうちの１つまたは複数のＴＢＳ値を明示的に示し得る。次いで、ＲＡＲメッセージ６０８中に示された所与のＭＣＳインデックスについて、ＵＥ４０２は、あらかじめ定義された表からＮRU値を決定し、接続要求メッセージ（たとえば、Ｍｓｇ３）６１０を送信するためにＳＩＢ６０４中に明示的に示されたＴＢＳを使用し得る。
【００５５】
[0069]  一態様によれば、異なる対応するトランスポートブロックサイズに関連する複数のあらかじめ定義されたＥＤＴリソースがあり得る。たとえば、一構成では、第１のＴＢＳ構成（たとえば、４００ビットのＴＢＳ）に関連する第１のＮＰＲＡＣＨリソースと第２のＴＢＳ構成（たとえば、６００ビットのＴＢＳ）に関連する第２のＮＰＲＡＣＨリソースとがあり得る。そのような構成では、基地局４０４は、ＳＩＢ６０４中で異なるＴＢＳ構成に関連するＮＰＲＡＣＨリソースをシグナリングし得る。ＮＰＲＡＣＨリソースの各々に関連する様々な異なるＴＢＳ構成のための（Ｍｓｇ３の後の送信のために使用され得る）最大ＴＢＳはまた、いくつかの構成では、ＳＩＢ中に示され得る。ＮＰＲＡＣＨリソースは、ランダムアクセス要求（Ｍｓｇ１）送信のために使用され得るが、関連するＴＢＳは、接続要求（Ｍｓｇ３）送信に適用可能であり得る。ＵＥにおけるペイロードサイズ（たとえば、ＵＥ４０２がＭｓｇ３中で送信しなければならないペイロード）についての知識に基づいて、ＵＥ４０２は、第１のメッセージ（たとえば、Ｍｓｇ１）の送信のためのリソース（たとえば、上記の例では第１のＮＰＲＡＣＨリソースまたは第２のＮＰＲＡＣＨリソースのうちの１つ）を選択し得る。ＵＥ４０２は、次いで、選択されたＮＰＲＡＣＨリソースを使用して基地局４０２にＲＡＣＨプロシージャの第１のメッセージ（ＮＰＲＡＣＨ）６０６を送信し、それに応答してＲＡＲ（許可）メッセージ６０８を受信し得る。そのような例示的な場合では、ＵＥ４０２は、第１のメッセージを送信するために使用される（ＮＰＲＡＣＨ）リソースに基づいてＲＡＲ許可を解釈するように構成され得る。言い換えれば、いくつかの構成では、ＲＡＲ許可の解釈は、第１のメッセージ（Ｍｓｇ１）を送信したＵＥが第１のリソース上であったのかまたは第２のリソース上であったのかに依存し得る。たとえば、一構成では、ＵＥ４０２は、各リソースを用いて第１のメッセージを送信するための複数のリソースが（やはりＳＩＢ中に示され得る）異なるＴＢＳ構成に関連付けられることを示すＳＩＢ６０４を受信し得る。ＵＥ４０２は、ＳＩＢ６０４と送信すべきペイロードサイズ（たとえば、Ｍｓｇ３中で送信すべきビット数）についてのそれの知識とに基づいてＮＰＲＡＣＨリソースを選択し、選択されたＮＰＲＡＣＨリソースを使用して第１のメッセージ６０６を送信し得る。ＵＥ４０２は、第１のメッセージに応答してＲＡＲ許可６０８を受信し、ＳＩＢ６０４と選択されたＮＰＲＡＣＨリソースとに基づいてＲＡＲ許可を解釈し得る。
【００５６】
[0070]  たとえば、（Ｍｓｇ１送信のための）ＮＰＲＡＣＨリソースと（後のＭｓｇ３送信のための）トランスポートブロックサイズとの間の対応／関連付けがあり得る。ＵＥ４０２が、Ｍｓｇ３中で送信すべき比較的大きいペイロードを有する場合、ＵＥ４０２は、（ＳＩＢ６０４に示された）より大きいＴＢＳに関連付けられ得るＮＰＲＡＣＨリソースを選択し得、その逆も同様である。さらに、そのような構成では、ＵＥ４０２は、選択されたＮＰＲＡＣＨリソース上での第１のメッセージのそれの以前の送信についての知識に基づいてＲＡＲ６０８中の受信された許可を解釈し得る。いくつかのそのような場合では、ＵＥ４０２は、接続要求メッセージ（Ｍｓｇ３）６１０の送信のための１つまたは複数のパラメータ（たとえば、リソースユニットの数および変調）を決定するために（たとえば、表５０２／６０２などの）表に依拠し得るが、ＵＥ４０２は、Ｍｓｇ３  ６１０の送信のための適用可能なＴＢＳとしてＳＩＢ中に示された選択されたＮＰＲＡＣＨリソースに関連する最大ＴＢＳを仮定し、必ずしも表に指定されたＴＢＳに依拠するとは限らないことがある。
【００５７】
[0071]  上記で説明した様々な例示的な表は、異なり得、および／または異なるカバレージ拡張（ＣＥ：coverage enhancement）レベルに対していくつかのパラメータについて異なる値を有し得る。たとえば、２つの異なるＣＥレベルに対して、対応する表は、同じＴＢＳを有するが、異なる送信時間に適応するために異なるＮRUを有し得る。別の例では、大きいトランスポートブロックサイズだけでなく小さい（たとえば、８８ビットよりも小さい）トランスポートブロックサイズも、いくつかの表ではサポートされ得る。いくつかの例では、パラメータのシグナリングは、（たとえば、ＳＩＢ中の）すべてのＣＥレベルに対して同じであるかまたは異なるＣＥレベルに対して異なり得る。したがって、上記で説明した方法は、異なるＣＥモードとともに使用され得る。多くの変形形態が、可能であり、異なる構成において使用され得る。
【００５８】
[0072]  いくつかのシステムでは、ｅＭＴＣのためのＭｓｇ３許可が、いくつかの変更とともにレガシーＴＢＳ表を利用し得る。しかしながら、Ｍｓｇ３のための許可を、たとえば、１０００ビットまで適応するように増加することが望ましいことがある。この点について、本明細書では数個のオプションを与える。ＣＥモードＡ（たとえば、中程度のカバレージ拡張）の場合、１つのオプションは、たとえば、（たとえば、表５０２などの）事前構成された表のエントリを変更することによって固定方式で、たとえば、ＵＥと基地局との間で同意していることがある固定方式でＲＡＲ許可のエントリ／解釈を変更することである。別のオプションは、上記で説明したＮＢ−ＩｏＴデバイスの場合と同様の手法を使用することであり、ここで、Ｍｓｇ３のためのＲＡＲ許可の解釈は、ＳＩＢ中に与えられた情報に依存し得る。
【００５９】
[0073]  ｅＭＴＣにおけるＭｓｇ３のためのレートマッチングに関連する様々な態様について説明する。レートマッチングの基本的な機能は、所与の割振り中で送信されるビット数にトランスポートブロック（ＴＢ：transport block）中のビット数を整合させることである。レートマッチングは、サブブロックインターリービングと、ビット集合と、ビット選択とを含む多くのものに関与する。レートマッチングは、たとえば、冗長バージョン（ＲＶ：Redundancy Version）の概念を使用してパケットの異なる送信に対してコードブロックの異なるサブセットを与え得る。それぞれのコーディングされたブロックの第１の送信の場合（ＲＶ＝０）、少量のシステマティックビット（systematic bit）がパンクチャリングされ得る。すなわち、システマティックビットストリームの開始からデータを読み出す代わりに、サーキュラーバッファの出力は、指定されたＲＶに従って構成され得る指定されたポイントから開始する。
【００６０】
[0074]  ｅＭＴＣでの課題の１つは、レートマッチングが（レガシーＬＴＥの場合と同様に）４つのＲＶに固定されるということであることがわかる。しかしながら、符号化は、ｅＭＴＣおよび／またはＮＢ−ＩｏＴにおいてＥＤＴを送信する能力を改善するためにサブフレームにわたって拡張され得る。ＣＥモードＢの場合、典型的な割振りは、１ＰＲＢである（たとえば、ＵＥは電力制限され、このようにして、リソース消耗があまりない）。４つのＲＶの場合、送信され得る合計のコーディングされたビットの数は、１２×１２（１２個のサブキャリア×１２個のシンボル）×２（ＱＰＳＫ）×４（ＲＶの数）＝１１５２チャネルビットであり得る。これの後に、同じＲＶが繰り返されることになり、したがって、ＳＮＲ利得があり得る（たとえば、追跡合成（chase combining）が、同じビットの合成によりＳＮＲ利得を生じ得る）が、コーディング利得（インクリメンタル冗長（incremental redundancy））を生じないことがある。
【００６１】
[0075]  提案された方法の一態様によれば、Ｍｓｇ３送信の場合、符号化／レートマッチング／ＲＶの数が変更され得る。そのような変更されたレートマッチングは様々な方法で実装され得る。第１の例示的な構成では、Ｍｓｇ３について、レートマッチングは、２つ以上のサブフレームにわたって実行され得る（たとえば、クロスサブフレームレートマッチング）。この手法は、レガシーＬＴＥシステムにおけるレートマッチング手法とは異なる。たとえば、サブフレームの開始ごとにＲＶを再開する／ＲＶを増加するのではなく、ＵＥは、Ｎ個のサブフレームごとにＲＶを再開し得る／ＲＶを増加し得る。
【００６２】
[0076]  図８に、様々な例示的なレートマッチング技法の絵画図を示す図８００を示す。図面８２５に示すベースラインレートマッチングの例に対するクロスサブフレームコーディング／レートマッチング動作（cross-subframe coding/rate matching operation）のグラフ／絵画図を図８の図面８５０に示す。一態様では、クロスサブフレームレートマッチング（たとえば、レートマッチングするサブフレームの数）は、Ｍｓｇ３送信のための繰返し数および／またはＴＢＳサイズおよび／または変調方式に基づき得る。
【００６３】
[0077]  第２の例示的な構成では、Ｍｓｇ３について、冗長バージョンの数は、ＵＥからの他の送信と比較して（たとえば、８つのＲＶまで）増加され得る。たとえば、ＲＶ循環は、ＲＶ０、ＲＶ４、ＲＶ２、ＲＶ６、ＲＶ１、ＲＶ３、ＲＶ５、ＲＶ７の通りであり得る（またはあらかじめ定義され得る別の順序であり得る）。増加した冗長バージョンをもつ変更されたレートマッチングのグラフ／絵画図を図８の図面８７５に示す。場合によっては、インターリービング（interleaving）は８つの冗長バージョンが使用されるときに変更され得る。たとえば、インターリービングは、レートマッチングビットの全セットにわたってではなくサブフレームごとに実行され、このようにして、最初に、（複数のサブフレームにわたる）時間につながり、第２に周波数につながることになるレガシーインターリービングではなく、最初にシンボルインデックスにわたり、次いで、サブキャリアインデックスにわたり、最後に、サブフレームインデックスにわたる順序でのリソースマッピングにつながり得る。
【００６４】
[0078]  図９は、ワイヤレス通信の方法のフローチャート９００である。本方法は、ＵＥ（たとえば、ＵＥ１０４、３５０、４０２）によって実行され得る。ＵＥは、ＮＢ−ＩｏＴワイヤレス通信またはｅＭＴＣワイヤレス通信を実行するＵＥを備え得る。オプションの態様は破線で示されている。
【００６５】
[0079]  ９０２において、ＵＥは、基地局からＳＩＢ中でランダムアクセス応答許可のための少なくとも１つのパラメータのための指示を受信し得る。たとえば、図６を参照すると、ＵＥ４０２は、ＳＩＢ６０４中で指示を受信し得る。上記で説明したように、ＳＩＢ６０４は、異なる構成において様々な異なるタイプの情報／指示を含み得る。たとえば、上記で説明したように、一構成では、ＳＩＢ６０４は、Ｍｓｇ３送信のためのＴＢＳの明示的な指示を含み得る。たとえば、指示は、割り当てられていないＭＣＳインデックス（unassigned MCS index）に対応するＴＢＳなどのパラメータを備え得る。別の例では、ＳＩＢ６０４  ＳＩＢ中の指示は、割り当てられていないＭＣＳインデックスのための１つまたは複数のテーブルエントリ（たとえば、割り当てられていないインデックス０１１、１００、１０１、１１０、１１１に対応する１つまたは複数のパラメータのためのエントリなど）を備え得る。いくつかの構成では、ＳＩＢ６０４は、例示的な表５０２に示したものなどの割り当てられていないＭＣＳインデックスに対応するパラメータのための予約された／割り当てられていないフィールドの各々のためのエントリのセットを含み得る。さらに別の例では、ＳＩＢ６０４中の指示は、各リソースがＭｓｇ３送信のための異なるＴＢＳ構成に関連付けられた状態で、（ランダムアクセス要求またはＭｓｇ１とも呼ばれる）第１のメッセージを送信するための複数のＮＰＲＡＣＨリソースを備え得る。ＴＢＳ構成はまた、上記で説明したようにＳＩＢ中に示され得る。
【００６６】
[0080]  様々な構成では、ＳＩＢ中の（上記で説明したように様々な形態を取り得る）指示に基づいて、ＵＥは、どのようにＲＡＣＨプロシージャを進め、早期データ送信を実行するのかを決定し得る。
【００６７】
[0081]  ＳＩＢが第１のＲＡＣＨメッセージ（Ｍｓｇ１）を送信するためのＮＰＲＡＣＨリソースとＭｓｇ３送信のための対応する／関連する最大トランスポートブロックサイズとを示し得る一構成では、９０４において、ＵＥは、ＳＩＢ中の指示と（Ｍｓｇ３中で送信するための）ＵＥにおけるペイロードサイズについての知識とに基づいて第１のメッセージを送信するためのＮＰＲＡＣＨリソースを（ＳＩＢ中に示されたＮＰＲＡＣＨリソースから）選択し得る。いくつかの他の構成では、ブロック９０４に示す動作はスキップされ得、処理は、９０２から９０６に進み得る。
【００６８】
[0082]  ９０６において、ＵＥは、基地局にランダムアクセス要求（たとえば、Ｍｓｇ１）を送信し得る。ランダムアクセス要求は、図４および図６に関して説明したように、Ｍｓｇ１を備え得る。たとえば、図６を参照すると、ＵＥ４０２は、基地局４０４にランダムアクセス要求（Ｍｓｇ１）６０６を送信し得る。一構成では、ＮＰＲＡＣＨリソース選択が、（９０４において説明したように）受信されたＳＩＢ中の指示に基づいて実行され得る場合、ＵＥは、選択されたＮＰＲＡＣＨリソース上でランダムアクセス要求を送信し得る。
【００６９】
[0083]  ９０８において、ＵＥは、図４および図６に関して説明したように、基地局からのランダムアクセス応答（ＲＡＲ）中で、たとえば、Ｍｓｇ２中でＭＣＳインデックスを受信し得る。たとえば、図６を参照すると、基地局４０４に送信されたランダムアクセス要求（Ｍｓｇ１）６０６に応答して、ＵＥ４０２は、（第２のメッセージまたはＭｓｇ２とも呼ばれる）ＲＡＲ６０８を受信し得る。上記でより詳細に説明したように、ランダムアクセス応答は、ＲＲＣ接続要求メッセージ、たとえば、Ｍｓｇ３のための許可をＵＥ４０２に与え得る。
【００７０】
[0084]  ９１０に示すように、ＵＥは、ＳＩＢ中で受信された指示および／または（９０４において）ランダムアクセス要求送信のために使用されたＮＰＲＡＣＨリソースに基づいて基地局からのランダムアクセス応答を処理し得る（たとえば、解釈／分析し得る）。たとえば、一態様によれば、ＵＥ４０２は、ＳＩＢ６０４中で受信された情報に基づいてＭｓｇ３の送信のためのＲＡＲ６０８中の許可を解釈するように構成され得る。たとえば、（たとえば、１つまたは複数のＭＣＳインデックスに対応する）ＴＢＳが、ＳＩＢ６０４中に示される場合、ＵＥ４０２は、Ｍｓｇ３送信のためのＭＣＳインデックスについて受信されたＲＡＲ６０８が依拠されるべきと解釈／決定し得るが、ＵＥ４０２は、ＲＡＲ６０８中のＭＣＳインデックスに対応するＳＩＢ中に示された（たとえば、Ｍｓｇ３ペイロードのためのビットの最大数を示す）ＴＢＳ値を使用すべきである。いくつかの構成では、Ｍｓｇ３送信のための（たとえば、変調、リソースユニットの数などのための）１つまたは複数の他のパラメータ値が、受信されたＲＡＲ中のＭＣＳインデックスに対応するエントリをもつ（表５０２および／または７０２などの）表にアクセスすることによって決定され得、またはそれらは、基地局４０４によってＵＥ４０２にシグナリングされ得る。
【００７１】
[0085]  いくつかの構成では、ＵＥが、ＳＩＢ中に示されたＮＰＲＡＣＨリソースから選択されたＮＰＲＡＣＨリソース上で第１のメッセージ（Ｍｓｇ１）を送信し得る場合、ＵＥ４０２は、第１のメッセージを送信するために使用されたＮＰＲＡＣＨリソースに基づいてＲＡＲ許可を解釈するように構成され得る。たとえば、ＲＡＲ許可の解釈は、ＳＩＢ中でシグナリングされた異なるリソースへの異なるＴＢＳの関連付けのために、（ＳＩＢ中の示されたリソースのうちの）どのＮＰＲＡＣＨリソースで接続要求メッセージ（Ｍｓｇ１）が送信されたのかに依存し得る。
【００７２】
[0086]  ９１２において、ＵＥは、ＭＣＳインデックスに基づいて、およびＳＩＢ中で受信された指示に基づいて基地局に接続要求メッセージを送信し得る。接続要求メッセージは、ＲＲＣ接続要求、たとえば、Ｍｓｇ３を備え得る。接続要求メッセージの送信は、ＳＩＢ中の受信された指示による受信されたＲＡＲの解釈に基づき得る。たとえば、図６を参照すると、ＵＥ４０２は、（ＭＣＳインデックスを示す）受信されたＲＡＲおよびＭｓｇ３中での早期データ送信のために使用され得る（たとえば、ＴＢＳなどの）１つまたは複数のパラメータ値の指示を与え得るＳＩＢ、ならびに／あるいはＵＥ４０２がＳＩＢと、受信されたＲＡＲ中のＭＣＳインデックスと、１つまたは複数のあらかじめ定義された表との組合せに基づいてパラメータ値を決定することを可能にし得る情報に基づいて接続要求メッセージ（Ｍｓｇ３）６１０を送信し得る。たとえば、（９０２において）ＳＩＢ中で受信された指示は、割り当てられていないＭＣＳインデックス（たとえば、０１１）に対応するＴＢＳ値（たとえば、６００ビット）を備え得、（ＲＡＲメッセージ中の）受信されたＭＣＳインデックスは、割り当てられていないＭＣＳインデックス０１１を備え得る。そのような例では、ＵＥ４０２は、（たとえば、あらかじめ定義された表中に示された）リソースユニットのあらかじめ定義された数とＳＩＢ中で受信されたＴＢＳ値とに基づいて接続要求メッセージを送信し得る。表は、ＲＵの数を指定し得、一方、ＳＩＢは、対応するＴＢＳを示し得る。たとえば、ＵＥ４０２は、受信されたＲＡＲメッセージ中に示されたＭＣＳ＝０１１のためのリソースユニットの数を決定するために割り当てられていないＭＣＳインデックスに対応するリソースユニットのあらかじめ定義された数を示す表にアクセスし、ＳＩＢ中の指示に基づいてＭｓｇ３送信のためのＴＢＳが６００ビットであると決定し得る。したがって、そのような例では、ＵＥ４０２は、示されたＴＢＳ（たとえば、６００ビットの最大ペイロードサイズ）と（たとえば、ＲＡＲメッセージ中で受信されたＭＣＳインデックスを使用してあらかじめ定義された表に基づいて決定された）リソースユニットのあらかじめ定義された数とに基づいて接続要求メッセージを送信し得る。
【００７３】
[0087]  いくつかの構成では、９１４において、ＵＥ４０２は、接続要求メッセージ（Ｍｓｇ３）に応答して基地局４０４から第４のメッセージ（たとえば、競合解消メッセージ）を受信し得る。いくつかの構成では、Ｍｓｇ４は、ランダムアクセスプロシージャを終了／完了し得、競合解消識別子（contention resolution identifier）を含み得る。
【００７４】
[0088]  上記の他の場所で説明したように、様々な異なる構成では、基地局４０４からＳＩＢを介して受信された指示は、早期データ送信を可能にし、ＵＥ４０２が（たとえば、Ｍｓｇ３の通常の許可されたペイロードサイズよりも高いまたはそれよりも低い）所望のペイロードを送信することを可能にする異なるタイプの情報を備え得る。一例では、９０２においてＳＩＢ中で受信された指示は、スケーリング値（scaling value）を備え得る。この例では、（９１２における）接続要求メッセージは、ＳＩＢ中で受信されたスケーリング値によってスケーリングされているＭＣＳインデックスに対応するリソースユニットの数（ＮRU）に基づいて送信され得る。たとえば、ＳＩＢは、２の乗法値を示し得、ＵＥは、（たとえば、表５０２などの表中に示された）ＭＣＳインデックスに対応するリソースユニットの数を２で乗算することによって接続要求メッセージのためのリソースユニットの数をスケーリングし得る。
【００７５】
[0089]  いくつかの例では、８０４においてＳＩＢ中で受信された指示は、スケーリング値を備え得、接続要求メッセージは、ＳＩＢ中で受信されたスケーリング値によってスケーリングされている（ＲＡＲ中に示されたＭＣＳインデックスに対応する）ＴＢＳに基づいて（９１２において）送信され得る。
【００７６】
[0090]  別の例では、８０４においてＳＩＢ中で受信された指示は、割り当てられていないＭＣＳインデックスのための１つまたは複数のパラメータ（たとえば、表エントリのためのパラメータに対応する値）を備え得、ＲＡＲメッセージ中の受信されたＭＣＳインデックスは、割り当てられていないＭＣＳインデックスを備え得る。この例では、ＵＥは、割り当てられていないＭＣＳインデックスに対応するＳＩＢ中で受信されたパラメータに基づいて（９１２において）接続要求メッセージを送信し得る。たとえば、割り当てられていないＭＣＳインデックスのための表エントリは、リソースユニットの数、ＴＢＳなどの表５０２に示すパラメータのうちの少なくとも１つの値を備え得る。いくつかの構成では、ＳＩＢは、２つ以上の割り当てられていないＭＣＳインデックスのための、たとえば、予約されたＭＣＳインデックス０１１、１００、１０１、１１０、１１１の各々のためのエントリのセットを含み得る。
【００７７】
[0091]  第４の例では、８０４においてＳＩＢ中で受信された指示は、割り当てられていないＭＣＳインデックスに対応するＴＢＳ値を備え得、受信されたＭＣＳインデックスは、割り当てられていないＭＣＳインデックスを備え得る。この例では、ＵＥは、リソースユニットのあらかじめ定義された数とＳＩＢ中で受信されたＴＢＳ値とに基づいて接続要求メッセージを送信し得る。したがって、表は、ＲＵの数を指定し得、一方、ＳＩＢは、対応するＴＢＳをシグナリングし得る。
【００７８】
[0092]  いくつかの構成では、ＳＩＢ中に示されたパラメータは、異なるサポートされたカバレージレベル（different supported coverage level）に対して異なるパラメータ（different parameter）を備え得る。
【００７９】
[0093]  図１０は、ワイヤレス通信の方法のフローチャート１０００である。本方法は、ＵＥ（たとえば、ＵＥ１０４、３５０、４０２）によって実行され得る。ＵＥは、ｅＭＴＣを実行するＵＥを備え得る。オプションの態様は破線で示されている。
【００８０】
[0094]  １００４において、ＵＥは、基地局にランダムアクセス要求、たとえば、Ｍｓｇ１を送信する。
【００８１】
[0095]  １００６において、ＵＥは、基地局からランダムアクセス応答、たとえば、Ｍｓｇ２を受信する。
【００８２】
[0096]  ＵＥは、次いで、ユーザ機器からの他の送信のための冗長バージョンよりも増加した数の冗長バージョンまたは２つ以上のサブフレームにわたって実行されるレートマッチングのうちの少なくとも１つに基づいて基地局に接続要求メッセージを送信し得る。
【００８３】
[0097]  たとえば、１００８において、ＵＥは、他の送信のための冗長バージョンよりも増加した数の冗長バージョンに基づいて基地局に接続要求メッセージを送信し得る。増加した数は、たとえば、５つ以上の冗長バージョンであり得る。冗長バージョンの増加した数は、図８に関して説明したように、８つのＲＶであり得る。冗長バージョンの増加した数は、接続要求メッセージのための繰返し数、接続要求メッセージのためのトランスポートブロックサイズ、または接続要求メッセージの送信のための変調方式のいずれかに基づき得る。
【００８４】
[0098]  １０１０に示すように、接続要求メッセージは、たとえば、図８に関して説明したように、２つ以上のサブフレームにわたって実行されるレートマッチングに基づいて基地局に送信され得る。
【００８５】
[0099]  レートマッチングが実行されるサブフレームの数は、接続要求メッセージのための繰返し数、接続要求メッセージのためのトランスポートブロックサイズ、または接続要求メッセージの送信のための変調方式のいずれかに基づき得る。
【００８６】
[00100]  冗長バージョンの増加した数または２つ以上のサブフレームにわたって実行されるレートマッチングは、システム情報ブロック中で受信されたパラメータに基づく。したがって、１００２において、ＵＥは、ＲＶの増加した数を適用することまたは接続要求メッセージのためのレートマッチングを調整することをＵＥが行うために使用し得る情報をＳＩＢ中で受信し得る。
【００８７】
[00101]  図１１は、例示的な装置１１０２における異なる手段／構成要素間のデータフローを示す概念データフロー図１１００である。装置１１０２は、（たとえば、ＵＥ１０４、３５０、９５０などの）ＵＥであり得る。装置１１０２は、受信構成要素（reception component）１１０４と、選択構成要素（selection component）１１０６と、ランダムアクセス要求構成要素１１０８と、ランダムアクセス応答構成要素１１１０と、ランダムアクセス応答解釈／処理構成要素１１１２と、接続要求構成要素１１１４と、送信構成要素１１１６とを含み得る。
【００８８】
[00102]  受信構成要素１１０４は、たとえば、基地局１１５０を含む他のデバイスから信号および／または他の情報を受信するように構成され得る。受信構成要素１１０４によって受信された信号／情報は、フローチャート９００および１０００の方法を含む上記で説明した方法に従って様々な動作を実行する際のさらなる処理および使用のために装置１１０２の１つまたは複数の構成要素に与えられ得る。したがって、受信構成要素１１０４を介して、装置１１０２および／あるいはその中の１つまたは複数の構成要素は、基地局１１５０などの外部デバイスから（たとえば、ＳＩＢ、ＲＡＲ（Ｍｓｇ２）、Ｍｓｇ４、データおよび／または他の信号などの）信号および／または他の情報を受信する。一構成では、受信構成要素１１０４は、図５〜図１０に関して上記で説明したように基地局から少なくとも１つのパラメータの指示を含むＳＩＢを受信するように構成され得る。いくつかの構成では、指示は、割り当てられていないＭＣＳインデックスのための１つまたは複数のパラメータ（たとえば、表エントリのためのパラメータに対応する値）を備え得る。いくつかの構成では、指示は、割り当てられていないＭＣＳインデックスに対応するＴＢＳを備え得る。いくつかの構成では、指示は、第１のＴＢＳに関連するＰＲＡＣＨリソースの第１のセットの第１の指示と第２のＴＢＳに関連するＰＲＡＣＨリソースの第２のセットの第２の指示とを備え得る。いくつかの構成では、第１のＴＢＳと第２のＴＢＳとは、それぞれ接続要求（Ｍｓｇ３）のための最大ペイロードサイズに対応し得る。ＳＩＢ中で受信された指示はまた、図５〜図１０に関して上記で説明した異なるタイプの情報を備え得る。ＳＩＢ中で受信された情報／指示は、装置１１０２の１つまたは複数の他の構成要素に与えられ得る。
【００８９】
[00103]  選択構成要素１１０６は、ランダムアクセス要求の送信のためのＰＲＡＣＨリソースを選択するように構成され得る。一構成では、選択構成要素１１０６は、装置１１０２において送信されるべきペイロードサイズに基づいて、受信されたＳＩＢ中に示されるＰＲＡＣＨリソースの第１のセットまたはＰＲＡＣＨリソースの第２のセットのうちの１つからＰＲＡＣＨリソースを選択するように構成され得る。そのような構成では、選択されたリソースに関する情報は、ランダムアクセス要求構成要素１１０８に与えられ得る。
【００９０】
[00104]  ランダムアクセス要求構成要素１１０８は、ランダムアクセス要求を生成し、それを（たとえば、送信構成要素１１１６を介して）基地局１１５０に送信するように構成され得る。いくつかの構成では、ランダムアクセス要求は、ＳＩＢ中に示されたＰＲＡＣＨリソースベースの選択されたＰＲＡＣＨリソースと（たとえば、Ｍｓｇ３中で）送信されるべきペイロードサイズとを使用して送信され得る。いくつかの他の構成では、ランダムアクセス要求は、装置１１０２に知られているＰＲＡＣＨリソースからランダムに選択されたＰＲＡＣＨリソースを使用して送信され得る。
【００９１】
[00105]  ランダムアクセス応答構成要素１１１０は、（たとえば、送信されたランダムアクセス要求に応答して）基地局１１５０からのＭＣＳインデックスを備えるランダムアクセス応答（Ｍｓｇ２）を（たとえば、受信構成要素１１０４を介して）受信し、処理するように構成され得る。ランダムアクセス応答は、基地局１１５０への接続要求の送信のための許可を備え得る。いくつかの構成では、処理された（たとえば、復号された）ランダムアクセス応答は、ＲＡＲ解釈構成要素（RAR interpretation component）１１１２に与えられ得る。
【００９２】
[00106]  ＲＡＲ解釈／処理構成要素（RAR interpretation/processing component）１１１２は、上記で説明したように、ＳＩＢ中で受信された指示に基づいて基地局からのランダムアクセス応答を解釈するように構成され得る。たとえば、ＳＩＢに基づいてＲＡＲを解釈することは、たとえば、本明細書で説明する方法に従って接続要求（Ｍｓｇ３）の送信のための１つまたは複数のパラメータを決定するために受信されたＳＩＢ中の指示に鑑みてＲＡＲ許可中の情報を分析することを含み得る。たとえば、一態様によれば、（たとえば、１つまたは複数のＭＣＳインデックスに対応する）ＴＢＳが、ＳＩＢ６０４中に示される場合、ＲＡＲ解釈構成要素１１１２は、Ｍｓｇ３送信のためのＭＣＳインデックスについて受信されたＲＡＲ６０８が依拠されるべきと解釈／決定し得るが、ＵＥ４０２は、ＲＡＲ６０８中のＭＣＳインデックスに対応するＳＩＢ中に示された（たとえば、Ｍｓｇ３ペイロードのためのビットの最大数を示す）ＴＢＳ値を使用すべきである。いくつかの構成では、Ｍｓｇ３送信のための１つまたは複数の他のパラメータ値（たとえば、リソースユニットの数）が、（たとえば、割り当てられていないＭＣＳインデックスを含む）様々なＭＣＳインデックスに対応する１つまたは複数のパラメータのためのエントリ／値をもつあらかじめ定義された表にアクセスすることによって決定され得る。別の例では、ＳＩＢ中で受信された指示は、スケーリング（たとえば、乗数）値を備え得る。この例では、ＲＡＲ解釈構成要素１１１２は、再び、ＲＡＲ中に示されたＭＣＳインデックスに対応するリソースユニットの数（ＮRU）がＳＩＢ中で受信されたスケーリング値によってスケーリングされるべきであると決定するためにＳＩＢ指示に鑑みてＲＡＲ（Ｍｓｇ２）を解釈し得る。接続要求（Ｍｓｇ３）の送信のために使用されるべきＮRUは、受信されたＲＡＲ中のＭＣＳインデックスに基づいて（表５０２、７０２または様々な可能なＭＣＳインデックスのためのＮRU値を含む別のそのような表などの）あらかじめ定義された表から決定され得る。一構成では、ＲＡＲ解釈構成要素１１１２は、ランダムアクセス要求を送信するために使用されるＰＲＡＣＨリソースにさらに基づいて基地局１１５０からのランダムアクセス応答を解釈するように構成され得る。たとえば、そのような構成では、ＲＡＲ解釈構成要素１１１２は、（ＲＡＲを解釈することの一部として）接続要求（Ｍｓｇ３）の送信のために使用されるべきＴＢＳがランダムアクセス要求を送信するために使用される（受信されたＳＩＢに示された）ＰＲＡＣＨリソースに関連するＴＢＳであると決定し得る。したがって、様々な構成では、ＲＡＲ解釈構成要素１１１２は、接続要求の送信のための受信されたＳＩＢ中の情報に従って受信されたＲＡＲを解釈し得る。
【００９３】
[00107]  いくつかの構成では、接続要求構成要素１１１４は、本明細書の上記で説明した方法に従って接続要求（Ｍｓｇ３）を生成し、それを（たとえば、送信構成要素１１１６を介して）基地局１１５０に送信するように構成され得る。様々な構成では、接続要求構成要素１１１４は、（ＲＡＲ中で受信された）ＭＣＳインデックスと（ＳＩＢ中で受信された）指示とに基づいて基地局１１５０に接続要求を（送信構成要素１１１６を介して）送信するように構成され得る。一例では、ＳＩＢ中の指示は、割り当てられていない／予約されたＭＣＳインデックス対応するパラメータ（たとえば、ＴＢＳ、ＮRU、変調など）のための表エントリ／パラメータ値を備え得、ランダムアクセス応答中で受信されたＭＣＳインデックスは、割り当てられていないＭＣＳインデックスを備え得る。そのような例では、接続要求メッセージは、ＳＩＢ中で受信された（ＲＡＲ中の割り当てられていないＭＣＳインデックスに対応する）表エントリ／パラメータ値に基づいて送信構成要素１１１６を介して）送信され得る。別の例示的な構成では、ＳＩＢ中の指示は、割り当てられていないＭＣＳインデックスに対応するＴＢＳ値を備え得、ランダムアクセス応答中で受信されたＭＣＳインデックスは、割り当てられていないＭＣＳインデックスを備え得る。そのような例では、接続要求メッセージは、リソースユニットのあらかじめ定義された数とＳＩＢ中で受信されたＴＢＳ値とに基づいて送信され得る。別の例では、指示は、スケーリング値（たとえば、乗数）を備え得、接続要求メッセージは、上記でより詳細に説明したように、ＲＡＲ中に示されたＭＣＳインデックスに対応する、ＳＩＢ中で受信されたスケーリング値によってスケーリングされるリソースユニットの数および／またはＴＢＳ値に基づいて（送信構成要素１１１６を介して）送信され得る。
【００９４】
[00108]  いくつかの構成では、接続要求構成要素１１１４は、装置１１０２からの他の送信のための冗長バージョンよりも増加した数の冗長バージョンのうちの少なくとも１つに基づいて基地局１１５０に接続要求メッセージを（たとえば、送信構成要素１１１６を介して）送信するように構成され得る。一例では、冗長バージョンの増加した数は、８であり得る。１つのそのような構成では、接続要求メッセージは、５つ以上の冗長バージョンに基づいて基地局１１５０に送信され得る。一例では、冗長バージョンの増加した数は、接続要求メッセージのための繰返し数、接続要求メッセージのためのトランスポートブロックサイズ、または接続要求メッセージの送信のための変調方式のうちの少なくとも１つに基づき得る。いくつかの他の構成では、接続要求構成要素１１１４は、２つ以上のサブフレームにわたって実行されるレートマッチングに基づいて基地局１１５０に（たとえば、送信構成要素１１１６を介して）接続要求メッセージを送信するように構成され得る。１つのそのような構成では、レートマッチングが実行されるサブフレームの数は、接続要求メッセージのための繰返し数、接続要求メッセージのためのトランスポートブロックサイズ、または接続要求メッセージの送信のための変調方式のうちの少なくとも１つに基づき得る。いくつかの構成では、冗長バージョンの増加した数または２つ以上のサブフレームにわたって実行されるレートマッチングは、ＳＩＢ中で受信されたパラメータに基づき得る。
【００９５】
[00109]  送信構成要素１１１６は、本明細書で開示した方法に従って、たとえば、基地局１１５０を含む１つまたは複数の外部デバイスに様々なメッセージを送信するように構成され得る。送信されるべきメッセージ／信号は、上記で説明したように１つまたは複数の他の構成要素によって生成され得るか、もしくは送信されるべきメッセージ／信号は、（たとえば、構成要素１１０８および／または１１１４などの）１つまたは複数の他の構成要素の指示／制御の下で送信構成要素１１１６によって生成され得る。したがって、様々な構成では、送信構成要素１１１６を介して、装置１１０２および／あるいはその中の１つまたは複数の構成要素は、基地局１１５０などの外部デバイスに（たとえば、ランダムアクセス要求（Ｍｓｇ１）、接続要求（Ｍｓｇ３）、制御メッセージおよび／または他の信号などの）信号および／または他の情報を送信する。
【００９６】
[00110]  装置１１０２は、図９および図１０の上述のフローチャート中のアルゴリズムのブロックの各々を実行する追加の構成要素を含み得る。したがって、図９および図１０の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９７】
[00111]  図１２は、処理システム１２１４を採用する装置１１０２’のためのハードウェア実装形態の一例を示す図１２００である。処理システム１２１４は、バス１２２４によって全体的に表される、バスアーキテクチャを用いて実現され得る。バス１２２４は、処理システム１２１４の具体的な適用例および全体的な設計制約に応じて、任意の数の相互接続用バスおよびブリッジを含み得る。バス１２２４は、プロセッサ１２０４によって表される１つまたは複数のプロセッサおよび／またはハードウェア構成要素と、構成要素１１０４、１１０６、１１０８、１１１０、１１１２、１１１４、１１１６と、コンピュータ可読媒体／メモリ１２０６とを含む様々な回路を互いにリンクする。また、バス１２２４はまた、タイミングソース、周辺機器、電圧レギュレータ、および電力管理回路などの様々な他の回路もリンクし得るが、これらの回路は当技術分野においてよく知られており、したがって、これ以上説明しない。
【００９８】
[00112]  処理システム１２１４は、トランシーバ１２１０に結合され得る。トランシーバ１２１０は１つまたは複数のアンテナ１２２０に結合される。トランシーバ１２１０は、伝送媒体を介して種々の他の装置と通信するための手段を与える。トランシーバ１２１０は、１つまたは複数のアンテナ１２２０から信号を受信し、受信された信号から情報を抽出し、抽出された情報を処理システム１２１４、具体的には受信構成要素１１０４に与える。加えて、トランシーバ１２１０は、処理システム１２１４、具体的には送信構成要素１１１６から情報を受信し、受信された情報に基づいて、１つまたは複数のアンテナ１２２０に印加されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システム１２１４は、構成要素１１０４、１１０６、１１０８、１１１０、１１１２、１１１４、１１１６のうちの少なくとも１つをさらに含む。それらの構成要素は、プロセッサ１２０４内で動作し、コンピュータ可読媒体／メモリ１２０６に常駐する／記憶されたソフトウェア構成要素、プロセッサ１２０４に結合された１つもしくは複数のハードウェア構成要素、またはそれらの何らかの組合せであり得る。処理システム１２１４は、ＵＥ３５０の構成要素であり得、メモリ３６０および／またはＴＸプロセッサ３６８と、ＲＸプロセッサ３５６と、コントローラ／プロセッサ３５９とのうちの少なくとも１つを含み得る。
【００９９】
[00113]  一構成では、ワイヤレス通信のための装置１１０２／１１０２’（たとえば、ＵＥ）は、図９および図１０に関して説明した態様を実行するための手段を含む  たとえば、一構成では、装置１１０２／１１０２’は、基地局からＳＩＢ中で少なくとも１つのパラメータの指示を受信するための手段を備え得る。一構成では、装置１１０２／１１０２’は、基地局にランダムアクセス要求を送信するための手段をさらに備え得る。一構成では、装置１１０２／１１０２’は、基地局からランダムアクセス応答中でＭＣＳインデックスを受信するための手段をさらに含み得る。一構成では、装置１１０２／１１０２’は、ＭＣＳインデックスと指示とに基づいて基地局に接続要求メッセージを送信するための手段をさらに含み得る。いくつかの構成では、少なくとも１つのパラメータは、異なるサポートされたカバレージレベルに対して異なるパラメータを備える。
【０１００】
[00114]  一構成では、装置１１０２／１１０２’は、ＳＩＢ中で受信された指示に基づいて基地局からのランダムアクセス応答を処理および／または解釈するための手段をさらに備え得る。一構成では、指示は、割り当てられていないＭＣＳインデックスのための表エントリ（たとえば、ＲＡＲパラメータ値）を備え得、ランダムアクセス応答中で受信されたＭＣＳインデックスは、割り当てられていないＭＣＳインデックスに対応し得る。１つのそのような構成では、接続要求メッセージを送信するための手段は、ＳＩＢ中で受信されたＲＡＲパラメータに基づいて接続要求メッセージを送信するようにさらに構成され得る。一構成では、指示は、割り当てられていないＭＣＳインデックスに対応するＴＢＳ値を備え得、ランダムアクセス応答中で受信されたＭＣＳインデックスは、割り当てられていないＭＣＳインデックスを備える。そのような構成では、接続要求メッセージを送信するための手段は、（たとえば、あらかじめ定義された表中に示された）リソースユニットのあらかじめ定義された数とＳＩＢ中で受信されたＴＢＳ値とに基づいて接続要求メッセージを送信するようにさらに構成され得る。
【０１０１】
[00115]  一構成では、指示は、第１のＴＢＳに関連するＰＲＡＣＨリソースの第１のセットの第１の指示と第２のＴＢＳに関連するＰＲＡＣＨリソースの第２のセットの第２の指示とを備え得る。１つのそのような構成では、装置１１０２／１１０２’は、ＵＥにおけるペイロードサイズに基づいてＰＲＡＣＨリソースの第１のセットまたはＰＲＡＣＨリソースの第２のセットのうちの１つからＰＲＡＣＨリソースを選択するための手段をさらに備え得る。そのような構成では、ランダムアクセス要求を送信するための手段は、選択されたＰＲＡＣＨリソースを使用してランダムアクセス要求を送信するようにさらに構成され得る。１つのそのような構成では、装置１１０２／１１０２’は、ランダムアクセス要求を送信するために使用されるＰＲＡＣＨリソースに基づいて基地局からのランダムアクセス応答を解釈するための手段をさらに備え得る。
【０１０２】
[00116]  上述の手段は、上述の手段によって列挙された機能を実施するように構成された、装置１１０２、および／または装置１１０２’の処理システム１２１４の上述の構成要素のうちの１つまたは複数であり得る。上記で説明したように、処理システム１２１４は、ＴＸプロセッサ３６８と、ＲＸプロセッサ３５６と、コントローラ／プロセッサ３５９とを含み得る。したがって、一構成では、上述の手段は、上述の手段によって列挙された機能を実施するように構成されたＴＸプロセッサ３６８、ＲＸプロセッサ３５６、およびコントローラ／プロセッサ３５９であり得る。
【０１０３】
[00117]  図１３は、ワイヤレス通信の方法のフローチャート１３００である。本方法は、基地局（たとえば、基地局１０２、１８０、３１０、４０４）によって実行され得る。基地局は、ＮＢ−ＩｏＴワイヤレス通信またはｅＭＴＣワイヤレス通信を実行する基地局を備え得る。オプションの態様は破線／点線ボックスで示されている。
【０１０４】
[00118]  １３０２において、基地局は、ＳＩＢ中で、たとえば、ランダムアクセス応答許可に関連する少なくとも１つのパラメータの指示を送信し得る。たとえば、図６を参照すると、基地局４０４は、（たとえば、ＵＥ４０２がＲＡＣＨプロシージャ中に送信すべきデータを有し得るとき）ＵＥ４０２が早期データ送信を実行することを可能にし得る情報を含むＳＩＢ６０４を送信し得る。上記で説明したように、一態様によれば、ＳＩＢ中で送信された指示により、ＵＥは、早期データ送信、たとえば、接続要求（Ｍｓｇ３）中でのデータ送信を可能にする方式でＲＡＲを解釈することが可能になり得る。上記で説明したように、ＳＩＢ中の指示は、様々な構成において様々なタイプの情報および／またはパラメータ値を通信し得る。たとえば、一構成では、指示は、割り当てられていないＭＣＳインデックスに対応する表エントリ／パラメータ値（たとえば、ＴＢＳ、ＮRU、変調などのパラメータの値）を備え得る。別の例では、ＳＩＢ中の指示は、割り当てられていないＭＣＳインデックスに対応するＴＢＳを備え得る。別の例では、指示は、ＲＡＲ中に示されたＭＣＳインデックスに対応するリソースユニットの数および／またはＴＢＳ値をスケーリングするために使用され得るスケーリング値（たとえば、乗数）を備え得る。様々な他の例について以下で説明する。様々な構成では、ＳＩＢ中で送信される少なくとも１つのパラメータは、異なるサポートされたカバレージレベルに対して異なるパラメータを備え得る。
【０１０５】
[00119]  １３０４において、基地局は、ＵＥからランダムアクセス要求メッセージ（たとえば、Ｍｓｇ１）を受信し得る。たとえば、図６を参照すると、基地局４０４は、ＵＥ４０２からランダムアクセス要求（Ｍｓｇ１）６０６を受信し得る。いくつかの構成では、ＳＩＢは、ランダムアクセス要求メッセージ（Ｍｓｇ１）を送信するためのＰＲＡＣＨ（たとえば、ＮＰＲＡＣＨ）リソースとＭｓｇ３送信のための対応する／関連する最大トランスポートブロックサイズとを示し得る。１つのそのような構成では、ＵＥは、ランダムアクセス要求を送信するためのＰＲＡＣＨリソースを（ＳＩＢ中に示されたリソースから）選択し得る。そのような例では、ランダムアクセス要求メッセージ（Ｍｓｇ１）は、ＳＩＢ指示と（Ｍｓｇ３の）ペイロードサイズとに基づいてＵＥによって選択されたＰＲＡＣＨリソース上で基地局によって受信され得る。
【０１０６】
[00120]  一構成では、１３０６において、基地局は、ランダムアクセス要求メッセージが受信されたＰＲＡＣＨリソースに基づいてＵＥからの受信されたランダムアクセス要求メッセージ（Ｍｓｇ１）を解釈し得る。たとえば、上記で説明したように、いくつかの構成では、ＵＥは、（ＳＩＢ中で示され得るように）Ｍｓｇ３送信のためのトランスポートブロックサイズに関連付けられ得るか、またはそれと相関させられ得るＰＲＡＣＨリソース上でランダムアクセス要求を送信し得る。いくつかのそのような場合では、基地局は、Ｍｓｇ１が受信されたＰＲＡＣＨ／ＮＰＲＡＣＨリソースに基づいてＵＥからのランダムアクセス要求メッセージ（Ｍｓｇ１）を解釈、たとえば、分析し得る。たとえば、Ｍｓｇ１が受信されたリソースに基づいて、基地局は、ＵＥが送信しようとするＭｓｇ３のペイロードサイズをそれを決定することが可能であり得る。一構成では、ＵＥからのランダムアクセス要求メッセージの解釈に基づいて、基地局は、ランダムアクセス要求メッセージ（Ｍｓｇ１）に応答してＲＡＲ（Ｍｓｇ２）中でＵＥに送られ得る許可および／またはＭＣＳインデックスを決定し得る。
【０１０７】
[00121]  １３０８において、基地局は、ＵＥにランダムアクセス応答メッセージ（たとえば、Ｍｓｇ２）中でＭＣＳインデックスを送信し得る。たとえば、図６を参照すると、基地局４０４は、ランダムアクセス要求メッセージ（Ｍｓｇ１）に応答してＵＥ４０２にランダムアクセス応答メッセージ（Ｍｓｇ２）６０８を送信し得る。
【０１０８】
[00122]  １３１０において、基地局は、ＵＥから、ＭＣＳインデックスとＳＩＢ中の指示とに基づいて接続要求メッセージを受信し得る。接続要求メッセージは、ＲＲＣ接続要求（Ｍｓｇ３）を備え得る。たとえば、図６を参照すると、基地局４０４は、ＲＡＲ６０８中のＭＣＳインデックスと、Ｍｓｇ３中での早期データ送信のために使用され得る（たとえば、ＴＢＳまたは上記で説明した他の情報などの）１つまたは複数のパラメータ値の指示を与え得る基地局４０４によって送信されるＳＩＢ中の情報とに基づいてＵＥ４０２から接続要求メッセージ（Ｍｓｇ３）６１０を受信し得る。いくつかの構成では、ＵＥからの受信された接続要求メッセージ（Ｍｓｇ３）６１０は、Ｍｓｇ３のために許可された通常のペイロードサイズとは異なる（たとえば、それよりも高いまたは低い）ペイロードサイズを有し得る。一例では、基地局によって送信されたＳＩＢ中の指示は、割り当てられていないＭＣＳインデックス（たとえば、０１１）に対応するＴＢＳ値を備え得、（送信されたＲＡＲ中の）ＭＣＳインデックスは、割り当てられていないＭＣＳインデックス０１１を備え得る。ＵＥは、基地局に接続要求メッセージを送るためにＳＩＢ指示とＭＣＳインデックスとを使用し得る。そのような例では、基地局によって受信された接続要求メッセージは、（たとえば、図６および図９に関して）上記で説明したようにリソースユニットのあらかじめ定義された数とＳＩＢ中に示されたＴＢＳ値とに基づき得る。したがって、そのような例では、基地局は、ＳＩＢ中の示されたＴＢＳと（たとえば、基地局によって送信されたＲＡＲメッセージ中で受信されたＭＣＳインデックスを使用してあらかじめ定義された表に基づいて決定された）リソースユニットのあらかじめ定義された数とに基づいて接続要求メッセージを受信し得る。
【０１０９】
[00123]  別の例では、１３０２においてＳＩＢ中で送信された指示は、スケーリング値を備え得る。この例では、接続要求メッセージは、ＳＩＢ中で受信されたスケーリング値によってスケーリングされているＭＣＳインデックスに対応するリソースユニットの数に基づいて基地局によって受信され得る。たとえば、ＳＩＢは、２の乗法値を示し得、ＵＥは、ＭＣＳインデックスに対応するリソースユニットの数を２で乗算することによって接続要求メッセージのためのリソースユニットの数をスケーリングし得る。
【０１１０】
[00124]  別の例では、１３０２においてＳＩＢ中で送信された指示は、スケーリング値を備え得、接続要求メッセージは、ＳＩＢ中で送信されたスケーリング値によってスケーリングされている（ＲＡＲ中に示された）ＭＣＳインデックスに対応するＴＢＳに基づいて基地局によって受信され得る。
【０１１１】
[00125]  さらに別の例では、１３０２においてＳＩＢ中で送信された指示は、割り当てられていないＭＣＳインデックスのためのパラメータを備え得る。ＲＡＲ中で基地局によって送信されたＭＣＳインデックスは、割り当てられていないＭＣＳインデックスを備え得る。この例では、基地局は、割り当てられていないＭＣＳインデックスに対応するＳＩＢ中に示されたパラメータに基づいて接続要求メッセージを受信し得る。いくつかの構成では、ＳＩＢは、２つ以上の割り当てられていないＭＣＳインデックスのための、たとえば、予備のＭＣＳインデックスの各々のためのエントリのセット（たとえば、パラメータの値）を含み得る。
【０１１２】
[00126]  別の例では、１３０２においてＳＩＢ中で送信された指示は、割り当てられていないＭＣＳインデックス（たとえば、ＭＣＳインデックス１００）に対応するＴＢＳ値（たとえば、６００ビット）を備え得、ＲＡＲ中のＵＥに送信されたＭＣＳインデックスは、割り当てられていないＭＣＳインデックスを備え得る。この例では、基地局は、（たとえば、所与のＭＣＳインデックスおよび／またはＴＢＳのための使用されるべきＮRUを指定する表中の）リソースユニットのあらかじめ定義された数とＳＩＢ中に示されたＴＢＳ値とに基づいて接続要求メッセージを受信し得る。したがって、いくつかの構成では、表は、ＲＵの数を指定し得、一方、ＳＩＢは、ＵＥに対応するＴＢＳをシグナリングし得る。
【０１１３】
[00127]  上記で簡単に説明したように、いくつかの構成では、９０２において送信された指示は、第１のＴＢＳに関連するＰＲＡＣＨリソースの第１のセットの第１の指示と第２のＴＢＳに関連する第２のＰＲＡＣＨリソースの第２の指示とを備え得る。第１および第２のＴＢＳは、（第１および第２のＰＲＡＣＨリソースのうちの選択された１つを使用して送信されるランダムアクセス要求（Ｍｓｇ１）の送信のためではない）接続要求の送信のためのトランスポートブロックサイズを示し得る。この例では、基地局は、ＳＩＢ中に示されたＰＲＡＣＨリソースに基づいてＵＥによって選択されたＰＲＡＣＨリソースに基づいてユーザ機器からランダムアクセス要求メッセージ（Ｍｓｇ１）を受信し得る。いくつかの構成では、ＰＲＡＣＨリソースセットは、ＮＰＲＡＣＨリソースセット、たとえば、狭帯域ＰＲＡＣＨリソースを備え得る。
【０１１４】
[00128]  いくつかの構成では、１３１２において、基地局は、ＵＥからの受信された接続要求メッセージ（Ｍｓｇ３）に応答して競合解消メッセージ（Ｍｓｇ４）を送信し得る。いくつかの構成では、送信された競合解消メッセージは、ランダムアクセスプロシージャを終了／完了し得、競合解消識別子を含み得る。
【０１１５】
[00129]  図１４は、例示的な装置１４０２における異なる手段／構成要素間のデータフローを示す概念データフロー図１４００である。装置１４０２は、（たとえば、基地局１０２、１８０、３１０、４０４などの）基地局であり得る。装置１４０２は、送信構成要素１４０４と、ＳＩＢ構成要素１４０６と、ランダムアクセス要求構成要素１４０８と、ランダムアクセス要求解釈構成要素１４１０と、ランダムアクセス応答構成要素１４１２と、接続要求／応答構成要素１４１４と、受信構成要素１４１６とを含み得る。
【０１１６】
[00130]  送信構成要素１４０４は、本明細書で開示した方法に従って、たとえば、ＵＥ１４５０を含む１つまたは複数の外部デバイスに様々なメッセージを送信するように構成され得る。送信されるべきメッセージ／信号は、以下で説明する装置の１つまたは複数の他の構成要素によって生成され得るか、あるいは送信されるべきメッセージ／信号は、（たとえば、構成要素１４０６、１４１２および／または１４１４などの）１つまたは複数の他の構成要素の指示／制御の下で送信構成要素１４０４によって生成され得る。したがって、様々な構成では、送信構成要素１４０４を介して、装置１４０２および／あるいはその中の１つまたは複数の構成要素は、以下で説明するＵＥ１４５０などの外部デバイスに（たとえば、ＳＩＢ、ランダムアクセス応答（Ｍｓｇ２）、接続要求応答（Ｍｓｇ４）、制御メッセージおよび／または他の信号などの）信号および／または他の情報を送信する。
【０１１７】
[00131]  一構成では、ＳＩＢ構成要素１１０４は、上記で説明した（たとえば、ＲＡＲ許可に関連する）少なくとも１つのパラメータの指示を含むＳＩＢを生成し、（たとえば、送信構成要素１４０４を介して）送信するように構成され得る。いくつかの構成では、ＳＩＢ中で送信された指示は、割り当てられていないＭＣＳインデックスのための１つまたは複数のパラメータを備え得る。いくつかの構成では、指示は、割り当てられていないＭＣＳインデックスに対応するＴＢＳを備え得る。いくつかの構成では、ＳＩＢ中の指示は、第１のＴＢＳに関連するＰＲＡＣＨリソースの第１のセットの第１の指示と第２のＴＢＳに関連するＰＲＡＣＨリソースの第２のセットの第２の指示とを備え得る。いくつかの構成では、第１のＴＢＳと第２のＴＢＳとは、それぞれ接続要求（Ｍｓｇ３）のための最大ペイロードサイズに対応し得る。ＳＩＢ中で送信された指示はまた、図１３に関して上記で説明した異なるタイプの情報を備え得る。
【０１１８】
[00132]  ランダムアクセス要求構成要素１４０８は、ＵＥ１４５０から（たとえば、受信構成要素１４１６を介して）ランダムアクセス要求（Ｍｓｇ１）を受信し、それを処理するように構成され得る。いくつかの構成では、ランダムアクセス要求は、ＳＩＢ中に示されたＰＲＡＣＨリソースからＰＲＡＣＨリソースを介した受信機であり得る。上記で説明したように、ＰＲＡＣＨは、ＳＩＢ中に示されたＰＲＡＣＨリソースと（たとえば、Ｍｓｇ３中で）送信されるべきペイロードサイズとに基づいてＵＥ１４５０によって選択され得る。いくつかの他の構成では、ランダムアクセス要求は、必ずしもＳＩＢ中に示されているとは限らないが、装置１４０２に知られていることがあるＰＲＡＣＨ上で受信され得る。いくつかの構成では、処理されたランダムアクセス要求は、ランダムアクセス要求解釈構成要素１４１０に与えられ得る。
【０１１９】
[00133]  いくつかの構成では、ランダムアクセス要求解釈構成要素１４１０は、フローチャート１３００および上記の他の場所に関してより詳細に上記で説明したように、ランダムアクセス要求メッセージが受信されたＰＲＡＣＨリソースに基づいてＵＥ１４５０からの受信されたランダムアクセス要求（Ｍｓｇ１）を解釈するように構成され得る。
【０１２０】
[00134]  ランダムアクセス応答構成要素１４１２は、（たとえば、受信されたランダムアクセス要求に応答して）ＭＣＳインデックスを備えるランダムアクセス応答（Ｍｓｇ２）を生成し、それをＵＥ１４５０に（たとえば、送信構成要素１４０４を介して）送信するように構成され得る。ランダムアクセス応答は、ＵＥ１４５０が装置１４０２に接続要求（Ｍｓｇ３）を送信するための許可関連情報を備え得る。
【０１２１】
[00135]  いくつかの構成では、接続要求構成要素１４１４は、本明細書の上記で説明した方法に従ってＵＥ１４５０から接続要求（Ｍｓｇ３）を（たとえば、受信構成要素１４１６を介して）受信し、それを処理するように構成され得る。様々な構成では、接続要求構成要素１４１４は、（ＲＡＲ中で装置１４０２によって送信された）ＭＣＳインデックスと（ＳＩＢ中で装置１４０２によって送信された）指示とに基づいてＵＥ１４５０から接続要求を（受信構成要素１４１６を介して）受信するように構成され得る。一例では、ＳＩＢ中の指示は、割り当てられていない／予約されたＭＣＳインデックス対応するパラメータ（たとえば、ＴＢＳ、ＮRU、変調など）のための表エントリ／パラメータ値を備え得、ＲＡＲ中で送信されたＭＣＳインデックスは、割り当てられていないＭＣＳインデックスを備え得る。そのような例では、接続要求メッセージは、ＳＩＢ中で送信された（ＲＡＲ中の割り当てられていないＭＣＳインデックスに対応する）パラメータ値に基づいて（受信構成要素１４１６を介して）受信され得る。別の例示的な構成では、ＳＩＢ中の指示は、割り当てられていないＭＣＳインデックスに対応するＴＢＳ値を備え得、ＲＡＲ中で送信されたＭＣＳインデックスは、割り当てられていないＭＣＳインデックスを備え得る。そのような例では、接続要求メッセージは、リソースユニットのあらかじめ定義された数とＳＩＢ中で受信されたＴＢＳ値とに基づいて（受信構成要素１４１６を介して）受信され得る。別の例では、指示は、スケーリング値（たとえば、乗数）を備え得、接続要求メッセージは、上記でより詳細に説明したように、ＲＡＲ中に示されたＭＣＳインデックスに対応する、ＳＩＢ中で示されたスケーリング値によってスケーリングされるリソースユニットの数および／またはＴＢＳ値に基づいて（受信構成要素１４１６を介して）受信され得る。接続要求構成要素１４１４は、（たとえば、受信された接続要求に応答して）競合解消／応答（Ｍｓｇ４）を生成し、それをＵＥ１４５０に（たとえば、送信構成要素１４０４を介して）送信するように構成され得る。
【０１２２】
[00136]  受信構成要素１４０４は、たとえば、ＵＥ１４５０を含む他のデバイスから信号および／または他の情報を受信するように構成され得る。受信構成要素１４０４によって受信された信号／情報は、フローチャート１３００の方法を含む上記で説明した方法に従って様々な動作を実行する際のさらなる処理および使用のために装置１４０２の１つまたは複数の構成要素に与えられ得る。したがって、受信構成要素１４０４を介して、装置１４０２および／あるいはその中の１つまたは複数の構成要素は、ＵＥ１４５０などの外部デバイスから（たとえば、ランダムアクセス要求（Ｍｓｇ１）、接続要求（Ｍｓｇ３）、データおよび／または他の信号などの）信号および／または他の情報を受信する。
【０１２３】
[00137]  本装置は、図１３の上述のフローチャート中のアルゴリズムのブロックの各々を実行する追加の構成要素を含み得る。したがって、図１３の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１２４】
[00138]  図１５は、処理システム１５１４を採用する装置１４０２’のためのハードウェア実装の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェア構成要素と、構成要素１４０４、１４０６、１４０８、１４１０、１４１２、１４１４、１４１６と、コンピュータ可読媒体／メモリ１５０６とを含む様々な回路を互いにリンクする。また、バス１５２４はまた、タイミングソース、周辺機器、電圧レギュレータ、および電力管理回路などの様々な他の回路もリンクし得るが、これらの回路は当技術分野においてよく知られており、したがって、これ以上説明しない。
【０１２５】
[00139]  処理システム１５１４は、トランシーバ１５１０に結合され得る。トランシーバ１５１０は１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、具体的には受信構成要素１４１６に与える。さらに、トランシーバ１５１０は、処理システム１５１４、特に送信構成要素１４０４から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担当する。ソフトウェアは、プロセッサ１５０４によって実行されたとき、処理システム１５１４に、特定の装置のための上記で説明した様々な機能を実行させる。コンピュータ可読媒体／メモリ１５０６はまた、ソフトウェアを実行するときにプロセッサ１５０４によって操作されるデータを記憶するために使用され得る。処理システム１５１４は、構成要素１４０４、１４０６、１４０８、１４１０、１４１２、１４１４、および１４１６のうちの少なくとも１つをさらに含む。それらの構成要素は、プロセッサ１５０４内で動作し、コンピュータ可読媒体／メモリ１５０６に常駐する／記憶されたソフトウェア構成要素、プロセッサ１５０４に結合された１つもしくは複数のハードウェア構成要素、またはそれらの何らかの組合せであり得る。処理システム１５１４は、基地局３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【０１２６】
[00140]  一構成では、ワイヤレス通信のための装置１４０２／１４０２’、たとえば、基地局は、図１３に関して説明した態様を実行するための手段を含んでいる。一構成では、ワイヤレス通信のための装置１４０２／１４０２’は、ＳＩＢ中で、ランダムアクセス応答許可に関連する少なくとも１つのパラメータの指示を送信するための手段を含む。装置１４０２／１４０２’は、Ｕからランダムアクセス応答を受信するための手段をさらに備え得る。装置１４０２／１４０２’は、ＵＥにランダムアクセス応答中でＭＣＳインデックスを送信するための手段をさらに備え得る。装置１４０２／１４０２’は、ＵＥから、ＭＣＳインデックスとＳＩＢ中の指示とに基づいて接続要求メッセージを受信するための手段をさらに備え得る。
【０１２７】
[00141]  いくつかの構成では、指示は、割り当てられていないＭＣＳインデックスのための１つまたは複数のパラメータを備え得、ＵＥに送信されるＭＣＳインデックスは、割り当てられていないＭＣＳインデックスを備え得る。いくつかのそのような構成では、接続要求メッセージを受信するための手段は、ＳＩＢ中の１つまたは複数のパラメータに基づいて接続要求メッセージを受信するようにさらに構成され得る。
【０１２８】
[00142]  いくつかの構成では、指示は、割り当てられていないＭＣＳインデックスに対応するＴＢＳ値を備え得、ＵＥに送信されるＭＣＳインデックスは、割り当てられていないＭＣＳインデックスを備え得る。いくつかの構成では、接続要求メッセージを受信するための手段は、リソースユニットのあらかじめ定義された数とＳＩＢ中のＴＢＳ値とに基づいて接続要求メッセージを受信するようにさらに構成され得る。
【０１２９】
[00143]  いくつかの構成では、指示は、第１のＴＢＳに関連するＰＲＡＣＨリソースの第１のセットの第１の指示と第２のＴＢＳに関連するＰＲＡＣＨリソースの第２のセットの第２の指示とを備え得る。いくつかのそのような構成では、装置１４０２／１４０２’は、ランダムアクセス要求が受信されたＰＲＡＣＨリソースに基づいてＵＥからのランダムアクセス要求を解釈するための手段をさらに備え得る。
【０１３０】
[00144]  いくつかの構成では、指示は、スケーリング値を備え得る。いくつかの構成では、接続要求メッセージを受信するための手段は、ＳＩＢ中に示されたスケーリング値によってスケーリングされているＭＣＳインデックスに対応するリソースユニットの数に基づいて接続要求メッセージを受信するようにさらに構成され得る。
【０１３１】
[00145]  上述の手段は、上述の手段によって列挙された機能を実施するように構成された、装置１４０２、および／または装置１４０２’の処理システム１５１４の上述の構成要素のうちの１つまたは複数であり得る。上述したように、処理システム１５１４は、ＴＸプロセッサ３１６と、ＲＸプロセッサ３７０と、コントローラ／プロセッサ３７５とを含み得る。したがって、一構成では、上述の手段は、上述の手段によって列挙された機能を実施するように構成されたＴＸプロセッサ３１６、ＲＸプロセッサ３７０、およびコントローラ／プロセッサ３７５であり得る。
【０１３２】
[00146]  処理システムは、コンピュータ可読媒体／メモリに結合されたプロセッサを含み得る。プロセッサは、コンピュータ可読媒体／メモリ上に記憶されたソフトウェアの実行を含む全体的な処理を担当する。ソフトウェアは、プロセッサによって実行されると、任意の特定の装置のための上記に記載された様々な機能を処理システムに実行させる。コンピュータ可読媒体／メモリはまた、ソフトウェアを実行するときにプロセッサによって操作されるデータを記憶するために使用され得る。処理システムは、図１０の方法を実行するように構成された構成要素のうちの少なくとも１つをさらに含み得る。それらの構成要素は、プロセッサ中で動作し、コンピュータ可読媒体／メモリ中に常駐する／記憶されたソフトウェア構成要素であるか、プロセッサに結合された１つまたは複数のハードウェア構成要素であるか、あるいはそれらの何らかの組合せであり得る。処理システムは、ｅＮＢ３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【０１３３】
[00147]  開示されたプロセス／フローチャート内のブロックの特定の順序または階層は、例示的な手法の一例であることを理解されたい。設計上の選好に基づいて、プロセス／フローチャート内のブロックの特定の順序または階層は、再配置され得ることを理解されたい。さらに、いくつかのブロックは組み合わされるかまたは省略され得る。添付の方法クレームは、様々なブロックの要素を例示的な順序で提示したものであり、提示された特定の順序または階層に限定されるものではない。
【０１３４】
[00148]  以上の説明は、当業者が本明細書に記載された様々な態様を実践することを可能にするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の範囲の言い回しに矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書に記載されたいかなる態様も、必ずしも他の態様よりも好ましいか、または有利であると解釈されるべきではない。別段に明記されていない限り、「いくつか」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣとなり得、ここで、任意のそのような組合せは、Ａ、Ｂ、またはＣのうちの１つまたは複数のメンバを含み得る。本開示全体にわたって説明する種々の態様の要素に対するすべての構造的および機能的均等物は、当業者には知られているか、または後に知られるようになり、参照により本明細書に明確に組み込まれ、特許請求の範囲によって包含されることを意図する。その上、本明細書で開示されるいかなることも、そのような開示が特許請求の範囲に明示的に具陳されているのかどうかにかかわらず、公に供するものではない。「モジュール」、「機構」、「要素」、「デバイス」などという単語は、「手段」という単語の代用でないことがある。そのため、いかなるクレーム要素も、その要素が「のための手段」という語句を使用して明確に列挙されていない限り、ミーンズプラスファンクションとして解釈されるべきではない。
【図１】
2021503829.tif 000003
【図２Ａ】
2021503829.tif 000004
【図２Ｂ】
2021503829.tif 000005
【図２Ｃ】
2021503829.tif 000006
【図２Ｄ】
2021503829.tif 000007
【図３】
2021503829.tif 000008
【図４】
2021503829.tif 000009
【図５】
2021503829.tif 000010
【図６】
2021503829.tif 000011
【図７】
2021503829.tif 000012
【図８】
2021503829.tif 000013
【図９】
2021503829.tif 000014
【図１０】
2021503829.tif 000015
【図１１】
2021503829.tif 000016
【図１２】
2021503829.tif 000017
【図１３】
2021503829.tif 000018
【図１４】
2021503829.tif 000019
【図１５】
2021503829.tif 000020
【国際調査報告】
2021503829.tif 000021
2021503829.tif 000022
2021503829.tif 000023